(57)【要約】  本発明の光ディスク装置は、グルーブトラックおよびランドトラックうちの一方にデータが記録される光ディスクに対して、データの記録および再生の少なくとも一方を行う。光ディスク装置は、光ディスクの種類が、データの記録または再生をグルーブトラックに対して行う光ディスクであるか、ランドトラックに対して行う光ディスクであるかを判別する判別部を備える。判別部は、フォーカス制御を行い且つトラッキング制御を行わない状態で光ディスクの種類の判別を行う。
2009154000.tif 000002
【特許請求の範囲】
【請求項１】
グルーブトラックおよびランドトラックうちの一方にデータが記録される情報担体に対して、データの記録および再生の少なくとも一方を行う光ディスク装置であって、
前記情報担体からの反射光を受光する受光部と、
前記受光部の出力信号に基づき、前記情報担体上の光ビームの照射位置と前記トラックとの間の位置ずれを検出する検出部と、
前記情報担体の種類が、データの記録または再生をグルーブトラックに対して行う情報担体であるか、ランドトラックに対して行う情報担体であるかを判別する判別部と、
を備え、
前記判別部は、フォーカス制御を行い且つトラッキング制御を行わない状態で前記情報担体の種類の判別を行う、光ディスク装置。
【請求項２】
前記判別部は、前記トラッキング制御を行わない状態において前記光ビームが前記トラックを横切ることで発生する信号に基づいて前記情報担体の種類の判別を行う、請求項１に記載の光ディスク装置。
【請求項３】
前記受光部の出力信号に基づいて、前記光ビームの収束状態を示すフォーカスエラー信号を生成するフォーカスエラー信号生成部と、
前記フォーカスエラー信号に基づいて、フォーカス制御のための信号を出力するフォーカス制御部と、
をさらに備え、
前記判別部は、前記フォーカス制御部の出力信号の振幅の大きさに基づいて前記情報担体の種類の判別を行う、請求項２に記載の光ディスク装置。
【請求項４】
前記検出部は、プッシュプルトラッキングエラー信号および位相差トラッキングエラー信号を生成し、
前記判別部は、前記プッシュプルトラッキングエラー信号と前記位相差トラッキングエラー信号との位相関係に基づいて前記情報担体の種類の判別を行う、請求項２に記載の光ディスク装置。
【請求項５】
前記受光部の出力信号に基づいて、前記光ビームの収束状態を示すフォーカスエラー信号を生成するフォーカスエラー信号生成部をさらに備え、
前記検出部は位相差トラッキングエラー信号を生成し、
前記判別部は、前記フォーカスエラー信号の成分と前記位相差トラッキングエラー信号との位相関係に基づいて前記情報担体の種類の判別を行う、請求項２に記載の光ディスク装置。
【請求項６】
前記検出部は、トラッキングエラー信号を生成し、
前記光ディスク装置は、
前記受光部の出力信号に基づき、前記光ビームの戻り光量を検出する光量検出部と、
前記トラッキングエラー信号を前記光量検出部の出力信号で正規化する正規化部と、
をさらに備え、
前記判別部は、前記正規化されたトラッキングエラー信号の振幅の大きさに基づいて前記情報担体の種類の判別を行う、請求項２に記載の光ディスク装置。
【請求項７】
前記受光部の出力信号に基づき、前記光ビームの戻り光量を検出する光量検出部をさらに備え、
前記判別部は、前記光量検出部の出力信号のレベルに基づいて前記情報担体の種類の判別を行う、請求項１に記載の光ディスク装置。
【請求項８】
前記受光部の出力信号に基づいて、前記光ビームの収束状態を示すフォーカスエラー信号を生成するフォーカスエラー信号生成部と、
フォーカス制御のための信号を出力するフォーカス制御部と、
前記フォーカスエラー信号に含まれる光学的クロストークを補正する補正部と、
をさらに備え、
前記補正部は、前記判別部の判別結果に基づいて前記補正を行い、
前記フォーカス制御部は、前記補正されたフォーカスエラー信号に基づいて、前記フォーカス制御のための信号を出力する、請求項１に記載の光ディスク装置。
【請求項９】
フォーカス制御のためのフォーカスループゲインを設定する設定部をさらに備え、
前記情報担体の種類が、データの記録または再生をランドトラックに対して行う情報担体であると前記判別部が判別した場合、前記設定部は前記判別前よりも前記フォーカスループゲインを下げる、請求項１に記載の光ディスク装置。
【請求項１０】
フォーカス制御のためのフォーカスループゲインを設定する設定部をさらに備え、
前記情報担体の種類が、データの記録または再生をグルーブトラックに対して行う情報担体であると前記判別部が判別した場合、前記設定部は前記判別前よりも前記フォーカスループゲインを上げる、請求項１に記載の光ディスク装置。
【請求項１１】
グルーブトラックおよびランドトラックうちの一方にデータが記録される情報担体に対して、データの記録および再生の少なくとも一方を行う光ディスク装置の駆動方法であって、
前記情報担体からの反射光を受光するステップと、
前記受光により得られた信号に基づき、前記情報担体上の光ビームの照射位置と前記トラックとの間の位置ずれを検出するステップと、
前記情報担体の種類が、データの記録または再生をグルーブトラックに対して行う情報担体であるか、ランドトラックに対して行う情報担体であるかを判別するステップと、
を包含し、
前記情報担体の種類の判別は、フォーカス制御を行い且つトラッキング制御を行わない状態で行う、方法。
【請求項１２】
情報担体に対してデータの記録および再生の少なくとも一方を行う光ディスク装置に搭載されたときに、前記情報担体の種類を判別する集積回路であって、
前記情報担体上の光ビームの照射位置とトラックとの間の位置ずれを検出する検出部と、
前記情報担体の種類が、データの記録または再生をグルーブトラックに対して行う情報担体であるか、ランドトラックに対して行う情報担体であるかを判別する判別部と、
を備え、
前記判別部は、フォーカス制御を行い且つトラッキング制御を行わない状態で前記情報担体の種類の判別を行う、集積回路。
【発明の詳細な説明】
【技術分野】
【０００１】
本発明は、レーザ光等を用いて光ディスク（再生専用、記録再生用などの各種の光ディスクを含む）に対して情報の記録または再生を行うディスク装置に関し、特に光ディスクのトラッキング極性を判別する機能を有する光ディスク装置に関する。
【背景技術】
【０００２】
ＤＶＤディスク（以降、ＤＶＤと称する）は、大容量のディジタル情報が記録可能な高記録密度光ディスクとして普及している。また、さらに記録密度の高いＢｌｕ−ｒａｙディスク（以降、ＢＤと称する）が提案されており、その中でも、記録可能なＢＤとして記録膜に相変化材料を用いたＢＤ−Ｒ、ＢＤ−ＲＥが実用化されている。【０００３】
ここで、図２（ａ）を用いてＢＤ−Ｒディスクの構造と成膜方法を説明する。【０００４】
図２（ａ）はＢＤ−Ｒディスクの断面の模式図である。ＢＤ−Ｒディスクでは、射出成型された基板２００にスパッタ等により反射層２０１を形成し、蒸着法により記録層２０２を形成し、接着層２０３を介してシート２０４を貼り合わせてある。なお基板２００の凹凸において、光ビームが照射される光ピックアップ（光ヘッド）に近い方をグルーブトラック、遠い方をランドトラックとすると、ＢＤ−Ｒディスクではデータの記録はグルーブトラックに行われる。【０００５】
ところで近年、ディスクの低コスト化のために、記録膜材料として有機色素を用いてスピンコート法により記録膜の形成を行うＢＤ−Ｒディスクが提案、実用化されている。このディスクは記録膜の特性上、記録を行うと反射率が上がる特性を持っており、Ｌｏｗ−ｔｏ−Ｈｉｇｈディスク（以降、ＬＴＨディスクと称す）と呼ばれる。一方、上述した従来のＢＤ−Ｒ、ＢＤ−ＲＥは、記録を行うと反射率が下がる特性であるため、Ｈｉｇｈ−ｔｏ−Ｌｏｗディスク（以降、ＨＴＬディスクと称す）と呼ばれる。【０００６】
ここで、図２（ｂ）を用いてＬＴＨディスクの構造と成膜方法を説明する。【０００７】
図２（ｂ）はＬＴＨディスクの断面の模式図である。ＬＴＨディスクでは、射出成型された基板２１０にスパッタ等により反射層２１１を形成し、スピンコート法により記録層２１２を形成し、接着層２１３を介してシート２１４を貼り合わせてある。なお基板２１０の凹凸において、図２（ａ）と同様に光ビームが照射される光ピックアップに近い方をグルーブトラック、遠い方をランドトラックとすると、ＬＴＨディスクではデータの記録はランドトラックに行われることが望ましい。すなわち、記録層には所定の膜厚が必要であるため、グルーブトラックに記録を行うためにはグルーブトラックの膜厚を厚くしなければならず、これは材料費の増加を意味する。したがって、低コストを目指したＬＴＨディスクではデータの記録はランドトラックに行われる。【０００８】
以上説明したように、ＢＤにはグルーブトラックに記録するディスクとランドトラックに記録するディスクの２種類が存在する。したがって、ＢＤを扱う光ディスク装置では、挿入されたディスクがグルーブトラック記録、ランドトラック記録のいずれのタイプのディスクであるかを判断し、それに応じたトラッキング極性でトラッキング制御を行うことが求められる。【０００９】
グルーブトラックに対してデータの記録または再生を行うディスクでは、光ビームスポットをグルーブトラックに追従させるトラッキング制御を行う。ランドトラックに対してデータの記録または再生を行うディスクでは、光ビームスポットをランドトラックに追従させるトラッキング制御を行う。グルーブトラックに対してトラッキング制御を行う場合と、ランドトラックに対してトラッキング制御を行う場合とでは、トラッキングサーボの信号極性が異なる。このため、本明細書中では、データの記録または再生をグルーブトラックに対して行うディスクかランドトラックに対して行うディスクかを判別することを、トラッキング極性を判別すると表現する。なお、ランドとグルーブを対と捉えて、ランド極性およびグルーブ極性と称することもある。トラッキング極性の判別方法の一例を以下に説明する。【００１０】
まず、ＢＤのコントロールデータ領域やＢＣＡ（Ｂｕｒｓｔ  Ｃｕｔｔｉｎｇ  Ａｒｅａ）領域には、グルーブトラックに記録するディスクかランドトラックに記録するディスクかを示すトラッキング極性情報が記録されている。これを利用して、装置起動時にディスクに記録されたトラッキング極性情報を再生することにより、トラッキング極性を判別することができる。【００１１】
また、装置起動時に、一方のトラッキング極性にトラッキング引き込みを行い、記録されているアドレス情報が再生できた場合は当該トラッキング極性が正しいと判別し、再生できない場合は他方のトラッキング極性が正しいと判別する（例えば、特許文献１参照）。【００１２】
また、他にも以下の手順でトラッキング極性判別を行うことができる。【００１３】
まず、装置起動時にグルーブトラックに合わせた極性（グルーブ極性）でトラッキング引き込みを行い、グルーブトラックにトラッキング制御を行う。その状態で一定数のトラックにおけるアドレス読み取り率を計測する。次にランドトラックに合わせた極性（ランド極性）に切り替えてトラッキング引き込みを行い、グルーブ極性での計測と同様に一定数のトラックにおけるアドレス読み取り率の計測を行う。これら両極性における読み取り結果において、エラーの少ない方を正しいトラッキング極性と判断し、以降判断された極性でトラッキング制御を行う。
【先行技術文献】
【特許文献】
【００１４】
【特許文献１】国際公開第２００６／００６４５８号パンフレット
【発明の概要】
【発明が解決しようとする課題】
【００１５】
しかしながら、上記のトラッキング極性の判別方法においては以下の課題があった。【００１６】
まず、ランドおよびグルーブのそれぞれに対してトラッキング制御を行った状態での測定結果から判別を行うため時間がかかり、その結果、装置の起動時間が増加してしまう。【００１７】
さらに、トラッキング極性判別は、ランドおよびグルーブのそれぞれに対してトラッキング制御を行う必要があるため、事前に両トラッキング極性における各種学習を実行しなければならない。これは装置の起動において、トラッキング極性判別を開始するまでの時間がかかることを意味し、その結果、装置の起動時間が増加してしまう。【００１８】
また、上述したＬＴＨディスクは規格上、ＨＴＬディスクに比べて溝変調度が高いため、プッシュプル法によるトラッキングエラー信号の変調度が高くなる。これは、フォーカスエラー信号として非点収差法を用いた場合、フォーカスエラー信号にプッシュプルトラッキングエラー信号が漏れ込む光学的クロストークが大きく発生することを意味する。光学的クロストークが発生すると、フォーカス制御により光スポットが光ディスクの情報層に対して垂直方向（以降、この方向をフォーカス方向と称す）に振られ、この振られ方が大きい場合はフォーカス制御が外れる場合がある。さらに、光学的クロストークが大きい場合、フォーカス制御に用いるアクチュエータ駆動電流も同様に大きくなり、その大きな駆動電流による発熱によりアクチュエータに悪影響を与えることになる。【００１９】
本発明は上記課題を解決するためになされたものであり、フォーカス制御オンかつトラッキング制御オフ状態でトラッキング極性を判別する光ディスク装置を提供する。
【課題を解決するための手段】
【００２０】
本発明の光ディスク装置は、グルーブトラックおよびランドトラックうちの一方にデータが記録される情報担体に対して、データの記録および再生の少なくとも一方を行う光ディスク装置であって、前記情報担体からの反射光を受光する受光部と、前記受光部の出力信号に基づき、前記情報担体上の光ビームの照射位置と前記トラックとの間の位置ずれを検出する検出部と、前記情報担体の種類が、データの記録または再生をグルーブトラックに対して行う情報担体であるか、ランドトラックに対して行う情報担体であるかを判別する判別部と、を備え、前記判別部は、フォーカス制御を行い且つトラッキング制御を行わない状態で前記情報担体の種類の判別を行うことを特徴とする。【００２１】
ある実施形態によれば、前記判別部は、前記トラッキング制御を行わない状態において前記光ビームが前記トラックを横切ることで発生する信号に基づいて前記情報担体の種類の判別を行う。【００２２】
ある実施形態によれば、前記受光部の出力信号に基づいて、前記光ビームの収束状態を示すフォーカスエラー信号を生成するフォーカスエラー信号生成部と、前記フォーカスエラー信号に基づいて、フォーカス制御のための信号を出力するフォーカス制御部と、をさらに備え、前記判別部は、前記フォーカス制御部の出力信号の振幅の大きさに基づいて前記情報担体の種類の判別を行う。【００２３】
ある実施形態によれば、前記検出部は、プッシュプルトラッキングエラー信号および位相差トラッキングエラー信号を生成し、前記判別部は、前記プッシュプルトラッキングエラー信号と前記位相差トラッキングエラー信号との位相関係に基づいて前記情報担体の種類の判別を行う。【００２４】
ある実施形態によれば、前記受光部の出力信号に基づいて、前記光ビームの収束状態を示すフォーカスエラー信号を生成するフォーカスエラー信号生成部をさらに備え、前記検出部は位相差トラッキングエラー信号を生成し、前記判別部は、前記フォーカスエラー信号の成分と前記位相差トラッキングエラー信号との位相関係に基づいて前記情報担体の種類の判別を行う。【００２５】
ある実施形態によれば、前記検出部は、トラッキングエラー信号を生成し、前記光ディスク装置は、前記受光部の出力信号に基づき、前記光ビームの戻り光量を検出する光量検出部と、前記トラッキングエラー信号を前記光量検出部の出力信号で正規化する正規化部と、をさらに備え、前記判別部は、前記正規化されたトラッキングエラー信号の振幅の大きさに基づいて前記情報担体の種類の判別を行う。【００２６】
ある実施形態によれば、前記受光部の出力信号に基づき、前記光ビームの戻り光量を検出する光量検出部をさらに備え、前記判別部は、前記光量検出部の出力信号のレベルに基づいて前記情報担体の種類の判別を行う。【００２７】
ある実施形態によれば、前記受光部の出力信号に基づいて、前記光ビームの収束状態を示すフォーカスエラー信号を生成するフォーカスエラー信号生成部と、フォーカス制御のための信号を出力するフォーカス制御部と、前記フォーカスエラー信号に含まれる光学的クロストークを補正する補正部と、をさらに備え、前記補正部は、前記判別部の判別結果に基づいて前記補正を行い、前記フォーカス制御部は、前記補正されたフォーカスエラー信号に基づいて、前記フォーカス制御のための信号を出力する。【００２８】
ある実施形態によれば、フォーカス制御のためのフォーカスループゲインを設定する設定部をさらに備え、前記情報担体の種類が、データの記録または再生をランドトラックに対して行う情報担体であると前記判別部が判別した場合、前記設定部は前記判別前よりも前記フォーカスループゲインを下げる。【００２９】
ある実施形態によれば、フォーカス制御のためのフォーカスループゲインを設定する設定部をさらに備え、前記情報担体の種類が、データの記録または再生をグルーブトラックに対して行う情報担体であると前記判別部が判別した場合、前記設定部は前記判別前よりも前記フォーカスループゲインを上げる。【００３０】
本発明の光ディスク装置の駆動方法は、グルーブトラックおよびランドトラックうちの一方にデータが記録される情報担体に対して、データの記録および再生の少なくとも一方を行う光ディスク装置の駆動方法であって、前記情報担体からの反射光を受光するステップと、前記受光により得られた信号に基づき、前記情報担体上の光ビームの照射位置と前記トラックとの間の位置ずれを検出するステップと、前記情報担体の種類が、データの記録または再生をグルーブトラックに対して行う情報担体であるか、ランドトラックに対して行う情報担体であるかを判別するステップと、を包含し、前記情報担体の種類の判別は、フォーカス制御を行い且つトラッキング制御を行わない状態で行うことを特徴とする。【００３１】
本発明の集積回路は、情報担体に対してデータの記録および再生の少なくとも一方を行う光ディスク装置に搭載されたときに、前記情報担体の種類を判別する集積回路であって、前記情報担体上の光ビームの照射位置とトラックとの間の位置ずれを検出する検出部と、前記情報担体の種類が、データの記録または再生をグルーブトラックに対して行う情報担体であるか、ランドトラックに対して行う情報担体であるかを判別する判別部と、を備え、前記判別部は、フォーカス制御を行い且つトラッキング制御を行わない状態で前記情報担体の種類の判別を行うことを特徴とする。
【発明の効果】
【００３２】
本発明によれば、フォーカス制御を行い且つトラッキング制御を行わない状態で光ディスクの種類の判別を行う。トラッキング引き込みを行わずに光ディスクの種類を判別することが可能となるため、判別時間を短縮でき、光ディスク装置の起動時間を短縮することができる。【００３３】
また、本発明のある実施形態によれば、トラッキング制御を行わない状態において光ビームがトラックを横切ることで発生する信号に基づいて光ディスクの種類の判別を行う。トラッキング引き込みを行わずに光ディスクの種類を判別することが可能となるため、判別時間を短縮でき、光ディスク装置の起動時間を短縮することができる。【００３４】
また、本発明のある実施形態によれば、フォーカス制御部の出力信号の振幅の大きさに基づいて光ディスクの種類の判別を行う。トラッキング引き込みを行わずに光ディスクの種類を判別することが可能となるため、判別時間を短縮でき、光ディスク装置の起動時間を短縮することができる。【００３５】
また、本発明のある実施形態によれば、プッシュプルトラッキングエラー信号と位相差トラッキングエラー信号との位相関係に基づいて光ディスクの種類の判別を行う。トラッキング引き込みを行わずに光ディスクの種類を判別することが可能となるため、判別時間を短縮でき、光ディスク装置の起動時間を短縮することができる。【００３６】
また、本発明のある実施形態によれば、フォーカスエラー信号の成分と位相差トラッキングエラー信号との位相関係に基づいて光ディスクの種類の判別を行う。トラッキング引き込みを行わずに光ディスクの種類を判別することが可能となるため、判別時間を短縮でき、光ディスク装置の起動時間を短縮することができる。【００３７】
また、本発明のある実施形態によれば、光ビームの戻り光量を検出する光量検出部の出力信号で正規化したトラッキングエラー信号の振幅の大きさに基づいて光ディスクの種類の判別を行う。トラッキング引き込みを行わずに光ディスクの種類を判別することが可能となるため、判別時間を短縮でき、光ディスク装置の起動時間を短縮することができる。【００３８】
また、本発明のある実施形態によれば、光ビームの戻り光量を検出する光量検出部の出力信号のレベルに基づいて光ディスクの種類の判別を行う。トラッキング引き込みを行わずに光ディスクの種類を判別することが可能となるため、判別時間を短縮でき、光ディスク装置の起動時間を短縮することができる。【００３９】
また、本発明のある実施形態によれば、ディスク判別結果に基づいて光学的クロストークが補正されたフォーカスエラー信号に基づいて、フォーカス制御のための信号を出力する。溝変調度が大きいＬＴＨディスクを用いた場合でも、光学的クロストーク成分に起因するフォーカス駆動電流の発生や、光学的クロストークに起因するフォーカス制御の振られを防ぐことができるため、消費電力の低減およびフォーカス制御の安定性向上が可能となり、光ディスク装置の記録再生性能を向上させることができる。【００４０】
また、本発明のある実施形態によれば、光ディスクの種類が、データの記録または再生をランドトラックに対して行う光ディスクであると判別した場合は、判別前よりもフォーカスループゲインを下げる。溝変調度が大きいＬＴＨディスクを用いる場合にフォーカスループゲインを下げることで、光学的クロストーク成分に起因するフォーカス駆動電流の発生や、光学的クロストークに起因するフォーカス制御の振られを低減させることができるため、消費電力の低減およびフォーカス制御の安定性向上が可能となり、光ディスク装置の記録再生性能を向上させることができる。【００４１】
また、本発明のある実施形態によれば、光ディスクの種類が、データの記録または再生をグルーブトラックに対して行う光ディスクであると判別した場合は、判別前よりもフォーカスループゲインを上げる。予めゲインを下げておくことで、溝変調度が大きいＬＴＨディスクが装置に挿入された直後から、光学的クロストーク成分に起因するフォーカス駆動電流の発生や、光学的クロストークに起因するフォーカス制御の振られを低減させることができるため、消費電力の低減およびフォーカス制御の安定性向上が可能となり、光ディスク装置の記録再生性能を向上させることができる。
【図面の簡単な説明】
【００４２】
【図１】本発明の実施形態１の光ディスク装置を示すブロック図である。
【図２】（ａ）および（ｂ）は、グルーブトラックおよびランドトラックを持つ光ディスクの模式図である。
【図３】本発明の実施形態１におけるディテクタの検出領域を示す平面図である。
【図４】本発明の実施形態１におけるＦＥ信号生成部を示すブロック図である。
【図５】本発明の実施形態１におけるＰＰＴＥ信号生成部を示すブロック図である。
【図６】本発明の実施形態１におけるＤＰＤＴＥ信号生成部を示すブロック図である。
【図７】（ａ）から（ｊ）は、本発明の実施形態１における、ＨＴＬディスクおよびＬＴＨディスクの情報層の断面と、各ディスクにおける光ビームトラック横断時のＰＰＴＥ信号波形およびＤＰＤＴＥ信号波形と、各波形をゼロクロスで２値化した波形とのそれぞれの間の関係を示す図である。
【図８】本発明の実施形態２の光ディスク装置を示すブロック図である。
【図９】（ａ）から（ｊ）は、本発明の実施形態２における、ＨＴＬディスクおよびＬＴＨディスクの情報層の断面と、各ディスクにおける光ビームトラック横断時のＦＥ信号への光学的クロストークによる漏れ込み成分の波形およびＤＰＤＴＥ信号波形と、各波形をゼロクロスで２値化した波形とのそれぞれの間の関係を示す図である。
【図１０】本発明の実施形態３の光ディスク装置を示すブロック図である。
【図１１】本発明の実施形態４の光ディスク装置を示すブロック図である。
【図１２】本発明の実施形態４におけるＡＳ信号生成部を示すブロック図である。
【図１３】本発明の実施形態５の光ディスク装置を示すブロック図である。
【図１４】本発明の実施形態６の光ディスク装置を示すブロック図である。
【図１５】本発明の実施形態６における光学的クロストーク補正部を示すブロック図である。
【図１６】本発明の実施形態６における、装置起動時のトラッキング極性判別と光学的クロストーク補正の切り替え手順を示したフローチャートである。
【図１７】本発明の実施形態６における、装置起動時のトラッキング極性判別とフォーカスゲイン設定の切り替え手順を示したフローチャートである。
【発明を実施するための形態】
【００４３】
以下、図面を参照しながら本発明の実施形態を説明する。
【００４４】
（実施形態１）
図１は、本発明の実施形態１における光ディスク装置１０を示すブロック図である。光ディスク装置１０は、例えば記録再生装置、再生専用装置、記録装置、編集装置等である。
【００４５】
図１において、光源１０１は例えば半導体レーザ素子であり、情報担体１０６の情報層に対して光ビームを出力する光源である。情報担体１０６は、グルーブトラックおよびランドトラックうちの一方にデータが記録される光ディスクである。情報担体１０６は、再生専用の光ディスクであってもよい。光ディスク装置１０は、光ディスク１０６に対してデータの記録および再生の少なくとも一方を行う。
【００４６】
コリメータレンズ１０２は、光源１０１から出射された発散光を平行光に変換するレンズである。偏光ビームスプリッタ１０３は、光源１０１から出射された直線偏光を全反射し、その光源１０１から出射される直線偏光と直交する方向の直線偏光を全透過する光学素子である。１／４波長板１０４は、透過する光の偏光を円偏光から直線偏光に、もしくは直線偏光から円偏光に変換する光学素子である。対物レンズ１０５は、光ディスク１０６の情報層に光ビームを集光するレンズである。
【００４７】
光ディスク１０６は、図２（ａ）および（ｂ）で示されるようにグルーブトラックおよびランドトラックを持ち、グルーブトラックおよびランドトラックのうちのいずれかにデータが記録される光ディスクである。
【００４８】
集光レンズ１０７は、偏光ビームスプリッタ１０３を透過した光ビームをディテクタ１０８に集光するレンズである。ディテクタ１０８は、受光した光を電気信号に変換する素子であり、４分割の検出領域を有する。
【００４９】
図３は、ディテクタ１０８の検出領域を示す平面図である。図３に示すように、ディテクタ１０８の検出領域は、Ａ、Ｂ、Ｃ、Ｄの４つの領域に分割されている。図の左右方向が光ディスク１０６の径方向（以降、トラッキング方向と称す）に対応し、上下方向がトラック長手方向に対応している。
【００５０】
プリアンプ１１１は、ディテクタ１０８の各領域からの出力電流を電圧に変換する電気素子である。ＦＥ信号生成部１１２は、プリアンプ１１１の複数の出力信号から、非点収差法により光ディスク１０６の情報層上における光ビームの収束状態に対応するフォーカスエラー信号（以降、ＦＥ信号と称す）を生成する電気回路である。
【００５１】
図４にＦＥ信号生成部１１２の構成を示す。図４に示すように、加算器１２４ａは、ディテクタ１０８の検出領域ＡおよびＣからの出力電流がプリアンプ１１１によって電圧に変換された２つの出力信号を加算して出力する電気回路である。加算器１２４ｂは、ディテクタ１０８の検出領域ＢおよびＤからの出力電流がプリアンプ１１１によって電圧に変換された２つの出力信号を加算して出力する電気回路である。減算器１２５は、加算器１２４ａおよび１２４ｂから出力される信号を減算して出力する電気回路である。
【００５２】
フォーカス制御部１１４は、ＦＥ信号生成部１１２から出力される信号に基づき、フォーカス制御信号を出力する電気回路である。フォーカス駆動部１１６は、フォーカス制御部１１４から出力される信号に基づき、フォーカスアクチュエータ駆動信号を出力する電気回路である。フォーカスアクチュエータ１０９は、対物レンズ１０５をフォーカス方向に移動させる要素であり、フォーカスアクチュエータ駆動信号によって駆動される。
【００５３】
ＰＰＴＥ信号生成部１１７は、プリアンプ１１１の複数の出力信号から、光ディスク１０６の情報層上における光スポットとトラックの位置関係を示すプッシュプルトラッキングエラー信号（以降、ＰＰＴＥ信号と称す）を生成する電気回路である。
【００５４】
図５にＰＰＴＥ信号生成部１１７の構成を示す。図５に示すように、加算器１２９ａは、ディテクタ１０８の検出領域ＡおよびＢからの出力電流がプリアンプ１１１によって電圧に変換された２つの出力信号を加算して出力する電気回路である。加算器１２９ｂは、ディテクタ１０８の検出領域ＣおよびＤからの出力電流がプリアンプ１１１によって電圧に変換された２つの出力信号を加算して出力する電気回路である。減算器１３０は、加算器１２９ａおよび１２９ｂから出力される信号を減算して出力する電気回路である。
【００５５】
信号極性切替部１１８は、マイクロコンピュータ１２３（以降、マイコンと称す）からの設定信号に応じてＰＰＴＥ信号生成部１１７から出力されるＰＰＴＥ信号の極性を切り替えて出力する電気回路である。トラッキング制御部１１９は、信号極性切替部１１８から出力される信号に基づき、トラッキング制御信号を出力する電気回路である。スイッチ１２０は、マイコン１２３からの指令信号により、トラッキング制御のオンとオフを切り替える電気回路である。トラッキング駆動部１２１は、スイッチ１２０から出力される信号に基づき、トラッキングアクチュエータ駆動信号を出力する電気回路である。トラッキングアクチュエータ１１０は、対物レンズ１０５をトラッキング方向に移動させる要素であり、トラッキングアクチュエータ駆動信号により駆動される。
【００５６】
ＤＰＤＴＥ信号生成部１２２は、プリアンプ１１１の複数の出力信号から、光ディスク１０６の情報層上における光スポットと、トラック上のマークまたはピットとの位置関係を示す位相差ＴＥ信号（以降、ＤＰＤＴＥ信号と称す）を生成する電気回路である。
【００５７】
図６にＤＰＤＴＥ信号生成部１２２の構成を示す。図６に示すように、加算器１３１ａは、ディテクタ１０８の検出領域ＡおよびＣからの出力電流がプリアンプ１１１によって電圧に変換された２つの出力信号を加算して出力する電気回路である。加算器１３１ｂは、ディテクタ１０８の検出領域ＢおよびＤからの出力電流がプリアンプ１１１によって電圧に変換された２つの出力信号を加算して出力する電気回路である。コンパレータ１３２ａ、１３２ｂは、加算器１３１ａ、１３１ｂの出力を２値化して出力する電気回路である。位相比較器１３３は、コンパレータ１３２ａ、１３２ｂから出力される２値化信号を比較して、エッジの位相進みおよび位相遅れに対応する時間幅のパルスを出力する電気回路である。ローパスフィルタ１３４は、位相比較器１３３から出力されるパルス信号を平滑化する電気回路である。
【００５８】
光ディスク装置１０の光ヘッド１００は、光源１０１と、コリメータレンズ１０２と、偏光ビームスプリッタ１０３と、１／４波長板１０４と、対物レンズ１０５と、集光レンズ１０７と、ディテクタ１０８と、フォーカスアクチュエータ１０９と、トラッキングアクチュエータ１１０とを備えている。
【００５９】
上述したように、ディテクタ１０８は光ディスク１０６の情報層からの反射光を受光する受光部として機能する。なお、ディテクタ１０８とプリアンプ１１１とをまとめて受光部と称してもよい。
【００６０】
また、ＦＥ信号生成部１１２は、ディテクタ１０８の出力信号に基づいて、光ビームの収束状態を示すフォーカスエラー信号を生成するフォーカス状態検出部として機能する。なお、プリアンプ１１１およびＦＥ信号生成部１１２をまとめてフォーカス状態検出部と称してもよい。
【００６１】
また、フォーカスアクチュエータ１０９は、光ビームの収束点を光ディスク１０６の情報層に対し垂直方向に移動するフォーカス方向移動部として機能する。
【００６２】
また、フォーカス制御部１１４は、フォーカスエラー信号に基づいて、フォーカス制御のための信号を出力する。なお、フォーカス制御部１１４とフォーカス駆動部１１６とをまとめてフォーカス制御部と称してもよく、フォーカスアクチュエータ１０９を駆動し、光ビームの収束点が所定の収束状態になるよう制御する。
【００６３】
また、ＰＰＴＥ信号生成部１１７は、光ディスク１０６上の光ビームの照射位置とトラックとの間の位置ずれを検出するトラックずれ検出部として機能する。なお、プリアンプ１１１とＰＰＴＥ信号生成部１１７とをまとめてトラックずれ検出部と称してもよい。
【００６４】
また、トラッキングアクチュエータ１１０は、光ディスク１０６上の光ビームの収束点をトラック長手方向に垂直な方向に移動させるトラック方向移動部として機能する。
【００６５】
また、信号極性切替部１１８、トラッキング制御部１１９、スイッチ１２０およびトラッキング駆動部１２１は、ＰＰＴＥ信号生成部１１７からの信号に基づきトラッキングアクチュエータ１１０を駆動し、光ビームの収束点がグルーブトラックまたはランドトラック上を正しく走査するように制御する。信号極性切替部１１８、トラッキング制御部１１９、スイッチ１２０およびトラッキング駆動部１２１をまとめて、トラッキング制御部と称してもよい。
【００６６】
また、ＤＰＤＴＥ信号生成部１２２は、受光して得られる信号の位相ずれに基づき、グルーブトラックあるいはランドトラック上のマークまたはピットと、光ビームの収束点との位置ずれを検出する位相差トラックずれ検出部として機能する。なお、プリアンプ１１１とＤＰＤＴＥ信号生成部１２２とをまとめて位相差トラックずれ検出部と称してもよい。また、ＰＰＴＥ信号生成部１１７とＤＰＤＴＥ信号生成部１２２と（プリアンプ１１１と）をまとめてトラックずれ検出部と称してもよい。
【００６７】
また、マイコン１２３は、グルーブトラックあるいはランドトラックのいずれにトラッキング制御を行うかを判別するトラッキング極性判別部として機能する。すなわち、マイコン１２３は、光ディスク装置１０内に載置された光ディスク１０６の種類が、データの記録または再生をグルーブトラックに対して行う光ディスクであるか、ランドトラックに対して行う光ディスクであるかを判別する。この判別は、フォーカス制御を行い且つトラッキング制御を行わない状態において、光ビームがトラックを横切ることで発生する信号に基づいて行う。このような光ビームがトラックを横切ることで発生する信号の詳細は後述する。なお、マイコン１２３とＰＰＴＥ信号生成部１１７とＤＰＤＴＥ信号生成部１２２とをまとめてトラッキング極性判別部と称してもよい。
【００６８】
また、信号極性切替部１１８は、光ディスク１０６の種類の判別結果に基づいて、トラッキング極性の切り替えを行うトラッキング極性切替部として機能する。なお、マイコン１２３と信号極性切替部１１８とをまとめてトラッキング極性切替部と称してもよい。
【００６９】
また、ＰＰＴＥ信号生成部１１７、ＤＰＤＴＥ信号生成部１２２、マイコン１２３、信号極性切替部１１８は、集積回路１１として1つの半導体チップにまとめて実装されていてもよい。このような集積回路１１は、光ディスク装置１０に搭載されたときに、光ディスク１０６の種類を判別する装置として機能する。なお、それらの構成要素の全てが集積回路１１に実装されていなくてもよく、また、それら以外の構成要素が集積回路１１に実装されていてもよい。
【００７０】
次に、光ディスク装置１０の動作をより詳細に説明する。
【００７１】
光源１０１から出射された直線偏光の光ビームは、コリメータレンズ１０２に入射され、コリメータレンズ１０２によって平行光にされる。コリメータレンズ１０２によって平行光にされた光ビームは、偏光ビームスプリッタ１０３に入射される。偏光ビームスプリッタ１０３を反射した光ビームは、１／４波長板１０４で円偏光にされる。１／４波長板１０４で円偏光にされた光ビームは、対物レンズ１０５に入射され、光ディスク１０６上に収束照射される。
【００７２】
光ディスク１０６で反射した光ビームは、偏光ビームスプリッタ１０３を透過し、集光レンズ１０７に入射される。集光レンズ１０７に入射された光ビームは、ディテクタ１０８に入射される。ディテクタ１０８に入射された光ビームはＡ〜Ｄの各領域で電気信号に変換される。ディテクタ１０８の各領域で得られた電気信号は、プリアンプ１１１で電圧に変換される。プリアンプ１１１の複数の出力信号は、ＦＥ信号生成部１１２で非点収差法によりＦＥ信号に演算される。ＦＥ信号生成部１１２から出力されたＦＥ信号は、フォーカス制御部１１４に入力され、例えばＤＳＰ（ディジタルシグナルプロセッサ）によるディジタルフィルタで構成された位相補償回路、低域補償回路を通過して、フォーカス駆動信号となる。フォーカス制御部１１４から出力されたフォーカス駆動信号は、フォーカス駆動部１１６に入力し、増幅されてフォーカスアクチュエータ１０９に出力される。
【００７３】
以上の動作によって、ＦＥ信号を用いて、光ディスク１０６の情報層上における光ビームの収束状態を常に所定の収束状態になるように制御するフォーカス制御が実現される。
【００７４】
また、プリアンプ１１１の複数の出力信号は、ＰＰＴＥ信号生成部１１７でプッシュプル法によってＰＰＴＥ信号に演算される。また、プリアンプ１１１の複数の出力信号は、ＤＰＤＴＥ信号生成部１２２で位相差法によってＤＰＤＴＥ信号に演算される。ＰＰＴＥ信号生成部１１７から出力されたＰＰＴＥ信号と、ＤＰＤＴＥ信号生成部１２２から出力されたＤＰＤＴＥ信号は、マイコン１２３に入力される。
【００７５】
マイコン１２３は、入力されたＰＰＴＥ信号とＤＰＤＴＥ信号に基づいて、光ビームを照射している光ディスク１０６の情報層において、グルーブトラックあるいはランドトラックのいずれにデータが記録されているかを判別し、トラッキング制御を行うべきトラッキング極性を決定し、信号極性切替部１１８へ制御信号を出力する。
【００７６】
ＰＰＴＥ信号生成部１１７からのＰＰＴＥ信号は、信号極性切替部１１８に入力される。信号極性切替部１１８は、マイコン１２３から入力された制御信号に基づいて、入力されたＰＰＴＥ信号の極性を切り替えた信号をトラッキング制御部１１９へ出力する。
【００７７】
トラッキング制御部１１９に入力された信号は、例えばＤＳＰによるディジタルフィルタで構成された位相補償回路、低域補償回路を通過して、トラッキング駆動信号となる。トラッキング制御部１１９からのトラッキング駆動信号は、スイッチ１２０に入力される。スイッチ１２０は、トラッキング引き込みに応じたマイコン１２３からの指令信号によりスイッチをオンし、トラッキング駆動信号をトラッキング駆動部１２１へ出力する。トラッキング駆動部１２１に入力されたトラッキング駆動信号は、増幅されてトラッキングアクチュエータ１１０に出力される。
【００７８】
以上の動作によって、ＰＰＴＥ信号を用いて、光ディスク１０６の情報層においてデータが記録されているグルーブトラックあるいはランドトラックのいずれか所望のトラック上を正しく走査するように制御するトラッキング制御が実現される。
【００７９】
なお、トラッキング制御を行っている状態とは、トラッキングアクチュエータ１１０が駆動信号に応じて対物レンズ１０５をトラッキング方向に沿って移動させている状態を指す。トラッキング制御を行っていない状態とは、トラッキングアクチュエータ１１０が駆動信号に応じて対物レンズ１０５をトラッキング方向に沿って移動させていない状態を指す。トラッキング制御を行っていない状態は、例えば、スイッチ１２０をオフ状態にすることにより実現できるが、他の動作により実現してもよい。
【００８０】
ここで、本実施形態におけるトラッキング極性判別（ディスク種類判別）について図７を用いて説明する。
【００８１】
図７は、グルーブトラック記録ディスク（ＨＴＬディスク）およびランドトラック記録ディスク（ＬＴＨディスク）の情報層の断面と、各ディスクにおけるＰＰＴＥ信号波形およびＤＰＤＴＥ信号波形と、各ＴＥ信号をゼロクロスで２値化した信号の波形とを示す図であり、それぞれの間の対応関係を示している。
【００８２】
図７（ａ）はＨＴＬディスクの情報層の断面図であり、図７（ｆ）はＬＴＨディスクの情報層の断面図であり、いずれも図の上方向から光ビームが照射されるとする。
【００８３】
また、グルーブトラックの中心は破線、ランドトラックの中心は一点鎖線で示した位置である。ＨＴＬディスクではグルーブトラック上に、ＬＴＨディスクではランドトラック上にマークが形成されている。
【００８４】
図７（ｂ）および（ｇ）は、図７（ａ）および（ｆ）の各ディスクの情報層に対し、光ビームがトラックを横断したときに検出されるＰＰＴＥ信号を示している。
【００８５】
図７（ｂ）および（ｇ）に示すように、光ビームがトラックを横断した際に検出されるＰＰＴＥ信号は、グルーブトラックおよびランドトラックでそれぞれゼロクロスをする正弦波状の波形である。またこのように光ビームがトラックを横断した際に検出されるＰＰＴＥ信号は、ＨＴＬディスク、ＬＴＨディスクで振幅は異なっていても信号形状は同一である。
【００８６】
一方、図７（ｃ）および（ｈ）は、図７（ａ）および（ｆ）の各ディスクの情報層に対し、光ビームがトラックを横断したときに検出されるＤＰＤＴＥ信号を示している。
【００８７】
ここでＤＰＤＴＥ信号を生成する位相差法は、光ビームがピットやマークを通過するとき、ピットやマークと光ビームとのトラッキング方向の位置ずれを検出する方式であるため、トラックの極性に依存しない。したがって、ＤＰＤＴＥ信号は、図７（ｃ）および（ｈ）に示すように、マークが存在するトラックでゼロクロスするノコギリ波状の波形である。
【００８８】
また、図７（ｄ）および（ｅ）は、図７（ｂ）および（ｃ）の信号をそれぞれゼロクロスで２値化した信号を示している。また、図７（ｉ）および（ｊ）は、図７（ｇ）および（ｈ）の信号をそれぞれゼロクロスで２値化した信号を示している。
【００８９】
本実施形態では、上述したＰＰＴＥ信号およびＤＰＤＴＥ信号の特性を利用してトラッキング極性の判別を行う。
【００９０】
すなわち、光ビームがトラックを横断するときのＰＰＴＥ信号とＤＰＤＴＥ信号の位相関係に着目し、図７（ｂ）および（ｃ）のようにＰＰＴＥ信号とＤＰＤＴＥ信号が同位相関係であればグルーブトラック記録ディスクと判別し、図７（ｇ）および（ｈ）のようにＰＰＴＥ信号とＤＰＤＴＥ信号が逆位相関係であればランドトラック記録ディスクと判別する。
【００９１】
また、ＰＰＴＥ信号とＤＰＤＴＥ信号との位相関係は、両信号をゼロクロスで２値化した信号によって判別する。
【００９２】
すなわち、図７（ｄ）および（ｅ）のように、ＰＰＴＥ信号を２値化した信号がＨｉｇｈの区間において、ＤＰＤＴＥ信号を２値化した信号がＨｉｇｈであれば、ＰＰＴＥ信号とＤＰＤＴＥ信号は同位相であると判別する。
【００９３】
一方、図７（ｉ）および（ｊ）のように、ＰＰＴＥ信号を２値化した信号がＨｉｇｈの区間において、ＤＰＤＴＥ信号を２値化した信号がＬｏｗであれば、ＰＰＴＥ信号とＤＰＤＴＥ信号は逆位相であると判別する。
【００９４】
以上によって、光ビームがトラックを横断するときのＰＰＴＥ信号とＤＰＤＴＥ信号から、トラッキング極性が判別できる。
【００９５】
したがって、トラッキング引き込みを行わずにトラッキング極性の判別が可能となるため、トラッキング極性判別時間の短縮が可能となり、その結果、起動時間の短縮も実現できる。
【００９６】
なお、本実施形態においては、トラッキング極性判別におけるＰＰＴＥ信号とＤＰＤＴＥ信号の位相関係の判別方法として、各信号をゼロクロスで２値化した信号を用いるとしたが、このような信号を用いた判別方法に限定されることはない。
【００９７】
（実施形態２）
図８は、実施形態２における光ディスク装置１０を示すブロック図である。なお、図１に示す光ディスク装置１０と同様の構成要素には同様の参照番号を付し、同じ説明は省略する。
【００９８】
本実施形態において、マイコン１２３は、フォーカスエラー信号の成分と位相差トラッキングエラー信号との位相関係に基づいてトラッキング極性の判別を行うトラッキング極性判別部として機能する。なお、マイコン１２３とＦＥ信号生成部１１２とＤＰＤＴＥ信号生成部１２２とをまとめてトラッキング極性判別部と称することもできる。
【００９９】
次に、本実施形態の光ディスク装置１０の動作を説明する。なお、実施形態１と同様の動作ついてはその説明を省略する。
【０１００】
ＦＥ信号生成部１１２からのＦＥ信号と、ＤＰＤＴＥ信号生成部１２２からのＤＰＤＴＥ信号は、マイコン１２３に入力される。マイコン１２３は入力されたＦＥ信号とＤＰＤＴＥ信号に基づいて、光ビームを照射している光ディスク１０６の情報層においてグルーブトラックあるいはランドトラックのいずれにデータが記録されているかを判別し、トラッキング制御を行うべきトラッキング極性を決定し、信号極性切替部１１８へ制御信号を出力する。
【０１０１】
ここで、本実施形態におけるトラッキング極性判別について、図９を用いて説明する。なお、図７と同様の部分に関してはその説明を省略する。
【０１０２】
図９は、グルーブトラック記録ディスク（ＨＴＬディスク）およびランドトラック記録ディスク（ＬＴＨディスク）の情報層の断面と、各ディスクにおけるＦＥ信号に混入する光学的クロストーク漏れ込み成分の波形と、ＤＰＤＴＥ信号波形と、それら漏れ込み成分およびＤＰＤＴＥ信号をゼロクロスで２値化した信号の波形とを示す図であり、それぞれの間の対応関係を示している。
【０１０３】
図９（ａ）および（ｆ）は、図７（ａ）および（ｆ）と同じく、情報層の断面を示している。図９（ｂ）および（ｇ）は、図９（ａ）および（ｆ）の各ディスクの情報層に対し、光ビームがトラックを横断したときに検出されるＦＥ信号の光学的クロストーク漏れ込み成分を示している。光学的クロストークは、上述したように、ＦＥ信号にＰＰＴＥ信号が漏れ込む現象であるため、その漏れ込み成分はＰＰＴＥ信号と同位相の信号となる。
【０１０４】
したがって、各ディスクに対し、光ビームがトラックを横断したときのＦＥ信号の光学的クロストーク漏れ込み成分（図９（ｂ）および（ｇ））は、光ビームがトラックを横断したときのＰＰＴＥ信号（図７（ｂ）および（ｇ））と同位相の信号となる。
【０１０５】
また、図９（ｄ）および（ｅ）は、図９（ｂ）および（ｃ）の信号をそれぞれゼロクロスで２値化した信号を示している。また、図９（ｉ）および（ｊ）は、図９（ｇ）および（ｈ）の信号をそれぞれゼロクロスで２値化した信号を示している。
【０１０６】
本実施形態では、光学的クロストーク漏れ込み成分とＤＰＤＴＥ信号の特性を利用してトラッキング極性の判別を行う。すなわち、光ビームがトラックを横断するときのＦＥ信号における光学的クロストーク漏れ込み成分がＰＰＴＥ信号と同位相であることに着目して、実施形態１と同様にトラッキング極性判別を行う。
【０１０７】
つまり、図９（ｂ）および（ｃ）のように、光学的クロストーク漏れ込み成分とＤＰＤＴＥ信号が同位相関係であればグルーブトラック記録ディスクと判別する。また、図９（ｇ）および（ｈ）のように、光学的クロストーク漏れ込み成分とＤＰＤＴＥ信号が逆位相関係であればランドトラック記録ディスクと判別する。
【０１０８】
また、光学的クロストーク漏れ込み成分とＤＰＤＴＥ信号との位相関係は、実施形態１と同様に、両信号をゼロクロスで２値化した信号によって判別する。
【０１０９】
すなわち、図９（ｄ）および（ｅ）のように、光学的クロストーク漏れ込み成分を２値化した信号がＨｉｇｈの区間において、ＤＰＤＴＥ信号を２値化した信号がＨｉｇｈであれば、光学的クロストーク漏れ込み成分とＤＰＤＴＥ信号は同位相であると判別する。
【０１１０】
一方、図９（ｉ）および（ｊ）のように、光学的クロストーク漏れ込み成分を２値化した信号がＨｉｇｈの区間において、ＤＰＤＴＥ信号を２値化した信号がＬｏｗであれば、光学的クロストーク漏れ込み成分とＤＰＤＴＥ信号は逆位相であると判別する。
【０１１１】
以上のように、光ビームがトラックを横断するときのＦＥ信号における光学的クロストーク漏れ込み成分とＤＰＤＴＥ信号とを用いてトラッキング極性が判別できる。
【０１１２】
したがって、トラッキング引き込みを行わずにトラッキング極性の判別が可能となるため、判別時間の短縮が可能となり、その結果、起動時間の短縮も実現できる。
【０１１３】
なお、本実施形態においては、ＦＥ信号の光学的クロストーク漏れ込み成分とＤＰＤＴＥ信号の位相関係の判別方法として、各信号をゼロクロスで２値化した信号を用いるとしたが、そのような信号を用いた判別方法に限定されることはない。
【０１１４】
（実施形態３）
図１０は、実施形態３における光ディスク装置１０を示すブロック図である。なお、図１に示す光ディスク装置１０と同様の構成要素には同様の参照番号を付し、同じ説明は省略する。
【０１１５】
本実施形態において、マイコン１２３は、フォーカス制御部１１４の出力信号の振幅の大きさに基づいてトラッキング極性の判別を行うトラッキング極性判別部として機能する。なお、マイコン１２３とフォーカス制御部１１４とをまとめてトラッキング極性判別部と称することもできる。
【０１１６】
次に、本実施形態の光ディスク装置１０の動作を説明する。なお、実施形態１と同様の動作ついてはその説明を省略する。
【０１１７】
フォーカス制御部１１４から出力されたフォーカス駆動信号は、マイコン１２３に入力される。マイコン１２３は入力されたフォーカス駆動信号の振幅に基づいて、光ビームを照射している光ディスク１０６の情報層においてグルーブトラックあるいはランドトラックのいずれにデータが記録されているかを判別し、トラッキング制御を行うべきトラッキング極性を決定し、信号極性切替部１１８へ制御信号を出力する。
【０１１８】
ここで、本実施形態におけるトラッキング極性判別について説明する。
【０１１９】
光学的クロストークを含むＦＥ信号を用いてフォーカス制御を行うとき、フォーカス制御部１１４から出力されるフォーカス駆動信号には光学的クロストーク成分に応じた信号振幅が確認できる。上述したように、レーザ光波長と溝深さとの関係から、ランドトラックに記録を行うＬＴＨディスクは、ＨＴＬディスクに比べて溝変調度が高い。そのため、光ビームがトラックを横断するときのＦＥ信号にＰＰＴＥ信号が漏れ込んで生じる光学的クロストーク成分が、ＨＴＬディスクに比べて大きくなる。また、光学的クロストーク成分を含むＦＥ信号でフォーカス制御を行うと、フォーカス制御部１１４からの出力であるフォーカス駆動信号には光学的クロストーク成分に応じた信号振幅が確認できる。つまり、ＬＴＨディスクとＨＴＬディスクでは、フォーカス制御を行っている状態で光ビームがトラックを横断するときのフォーカス駆動信号において、異なった信号振幅が確認できる。ここで、フォーカス駆動信号の振幅は、フォーカス駆動信号の絶対値を決められた時間の間積分した値として検出できる。
【０１２０】
したがって、その積分した値が決められた閾値よりも大きい場合、溝変調度の高いＬＴＨディスクであると判別できる。
【０１２１】
上述したようにＬＴＨディスクはランドトラックにトラッキング制御を行うディスクであるため、フォーカス駆動信号振幅によってディスクの種類（トラッキング極性）の判別ができる。
【０１２２】
以上のように、光ビームがトラックを横断する際のフォーカス駆動信号振幅からトラッキング極性が判別できる。
【０１２３】
したがって、トラッキング引き込みを行わずにトラッキング極性の判別が可能となるため、判別時間の短縮が可能となり、その結果、起動時間の短縮も実現できる。
【０１２４】
なお、本実施形態においては、フォーカス制御部１１４が出力するフォーカス駆動信号をトラッキング極性判別に用いたが、フォーカスアクチュエータ１０９に流れる電流を測定することでも同様に判別を行うことができる。
【０１２５】
（実施形態４）
図１１は、実施形態４における光ディスク装置１０を示すブロック図である。なお、図１に示す光ディスク装置１０と同様の構成要素には同様の参照符号を付し、同じ説明は省略する。
【０１２６】
本実施形態の光ディスク装置１０は、ＡＳ信号生成部４００および除算器４０１を備える。ＡＳ信号生成部４００は、プリアンプ１１１の出力信号から、光ディスク１０６の情報層からの戻り光量を検出するための全加算信号（以降、ＡＳ信号と称す）を生成する電気回路である。
【０１２７】
図１２にＡＳ信号生成部４００の構成を示す。図１２に示すように、加算器４０２ａは、ディテクタ１０８の検出領域ＡおよびＢからの出力電流がプリアンプ１１１によって電圧に変換された２つの出力信号を加算して出力する電気回路である。加算器４０２ｂは、ディテクタ１０８の検出領域ＣおよびＤからの出力電流がプリアンプ１１１によって電圧に変換された２つの出力信号を加算して出力する電気回路である。加算器４０３は、加算器４０２ａおよび４０２ｂから出力される信号を加算して出力する電気回路である。
【０１２８】
除算器４０１は、ＰＰＴＥ信号生成部１１７から出力されるＰＰＴＥ信号を、ＡＳ信号生成部４００から出力されるＡＳ信号で除算して出力する電気回路である。
【０１２９】
本実施形態において、ＡＳ信号生成部４００は、光ビームの戻り光量を検出する反射光量検出部として機能する。なお、ＡＳ信号生成部４００とプリアンプ１１１とをまとめて反射光量検出部と称することもできる。
【０１３０】
また、除算器４０１は、ＰＰＴＥ信号をＡＳ信号で正規化するＴＥ信号正規化部として機能する。
【０１３１】
本実施形態では、マイコン１２３は、正規化されたＰＰＴＥ信号の振幅の大きさに基づいてトラッキング極性の判別を行うトラッキング極性判別部として機能する。なお、マイコン１２３、ＡＳ信号生成部４００、除算器４０１をまとめてトラッキング極性判別部と称することもできる。
【０１３２】
次に、本実施形態の光ディスク装置１０の動作を説明する。なお、実施形態１と同様の動作ついてはその説明を省略する。
【０１３３】
プリアンプ１１１の出力信号は、ＡＳ信号生成部４００でＡＳ信号に演算される。ＰＰＴＥ信号生成部１１７からのＰＰＴＥ信号と、ＡＳ信号生成部４００からのＡＳ信号は、除算器４０１に入力され、ＰＰＴＥ信号をＡＳ信号で除算した結果として正規化ＰＰＴＥ信号が出力される。除算器４０１からの正規化ＰＰＴＥ信号は、マイコン１２３に入力される。
【０１３４】
マイコン１２３は入力された正規化ＰＰＴＥ信号の振幅に基づいて、光ビームを照射している光ディスク１０６の情報層においてグルーブトラックあるいはランドトラックのいずれにデータが記録されているかを判別し、トラッキング制御を行うべきトラッキング極性を決定し、信号極性切替部１１８へ制御信号を出力する。
【０１３５】
ここで、本実施形態におけるトラッキング極性判別について説明する。
【０１３６】
上述したように、ランドトラックに記録を行うＬＴＨディスクは溝変調度が高い。溝変調度は光ビームがトラックを横断するときのＰＰＴＥ信号をＡＳ信号で除算して求めた信号の振幅として算出でき、これは本実施形態の正規化ＰＰＴＥ信号振幅である。ここで光ディスクの規格によれば、ＨＴＬディスクは溝変調度が０．２１〜０．４５であり、ＬＴＨディスクは溝変調度が０．２１〜０．６０である。
【０１３７】
上記規格値からすると、ＨＴＬディスクとＬＴＨディスクとで同一の溝変調度持つ場合が考えられるが、実際の製品としてのＬＴＨディスクは変調度が規格の上限値に近く、０．５以上の変調度を持つ。
【０１３８】
したがって、正規化ＰＰＴＥ信号振幅が閾値０．５よりも大きいかどうかによって、溝変調度の高いＬＴＨディスクであるかどうか判別できる。ここで上述したように、ＬＴＨディスクはランドトラックにトラッキング制御を行うディスクであるため、正規化ＰＰＴＥ信号振幅によってディスクの種類（トラッキング極性）の判別ができる。
【０１３９】
以上のように、光ビームがトラックを横断する際の正規化ＰＰＴＥ信号振幅からトラッキング極性が判別できる。
【０１４０】
したがって、トラッキング引き込みを行わずにトラッキング極性の判別が可能となるため、判別時間の短縮が可能となり、その結果起動時間の短縮も実現できる。
【０１４１】
なお、本実施形態においては、正規化ＰＰＴＥ信号振幅に着目した判別用の閾値を０．５としたが、この閾値は一例であり別の値であってもよい。
【０１４２】
（実施形態５）
図１３は、実施形態５における光ディスク装置１０の構成を示すブロック図である。なお、実施形態１および４の光ディスク装置１０と同様の構成要素には同様の参照番号を付し、同じ説明は省略する。
【０１４３】
本実施形態において、マイコン１２３は、ＡＳ信号のレベルに基づいてトラッキング極性の判別を行うトラッキング極性判別部として機能する。ＡＳ信号のレベルは、例えばＡＳ信号振幅である。なお、マイコン１２３とＡＳ信号生成部４００とをまとめてトラッキング極性判別部と称することもできる。
【０１４４】
次に、本実施形態の光ディスク装置１０の動作を説明する。なお、実施形態１および４と同様の動作ついてはその説明を省略する。
【０１４５】
ＡＳ信号生成部４００からのＡＳ信号は、マイコン１２３に入力される。マイコン１２３は入力されたＡＳ信号のレベルに基づいて、光ビームを照射している光ディスク１０６の情報層においてグルーブトラックあるいはランドトラックのいずれにデータが記録されているかを判別し、トラッキング制御を行うべきトラッキング極性を決定し、信号極性切替部１１８へ制御信号を出力する。
【０１４６】
ここで、本実施形態におけるトラッキング極性判別について説明する。
【０１４７】
上述したように、ランドトラックに記録を行うＬＴＨディスクは記録後に反射率が高くなる。ここでディスクの規格によれば、記録済みＨＴＬディスクの反射率は１１％〜２４％であり、記録済みＬＴＨディスクの反射率は１６％〜３５％である。
【０１４８】
上記規格値からすると、ＨＴＬディスクとＬＴＨディスクとで同一の反射率を持つ場合が考えられるが、実際の製品でのＬＴＨディスクは反射率が規格上限値に近く、３０％以上の反射率を持つ。
【０１４９】
したがって、ＡＳ信号レベルが反射率３０％相当の信号レベルよりも大きいかどうかによって、反射率の大きいＬＴＨディスクであるかどうか判別できる。ここで上述したように、ＬＴＨディスクはランドトラックにトラッキング制御を行うディスクであるため、ＡＳ信号レベルによってディスクの種類（トラッキング極性）の判別ができる。
【０１５０】
以上のように、ＡＳ信号レベルからトラッキング極性が判別できる。
【０１５１】
したがって、トラッキング引き込みを行わずにトラッキング極性の判別が可能となるため、判別時間の短縮が可能となり、その結果、起動時間の短縮も実現できる。
【０１５２】
なお、本実施形態においては、ＡＳ信号レベルに着目した判別用の閾値を反射率３０％相当の信号レベルとしたが、この閾値は一例であり別の値であってもよい。
【０１５３】
（実施形態６）
図１４は、実施形態６における光ディスク装置１０を示すブロック図である。なお、図１に示す光ディスク装置１０と同様の構成要素には同様の参照番号を付し、同じ説明は省略する。
【０１５４】
本実施形態の光ディスク装置１０は、光学的クロストーク補正部６００およびフォーカスゲイン設定部６０１を備える。光学的クロストーク補正部６００は、ＦＥ信号生成部１１２の出力信号とＰＰＴＥ信号生成部１１７の出力信号から補正ＦＥ信号を生成して出力する電気回路である。
【０１５５】
図１５に光学的クロストーク補正部６００の構成を示す。図１５に示すように、乗算器６０２は、ＰＰＴＥ信号生成部１１７から出力されるＰＰＴＥ信号にマイコン１２３からの設定信号に応じたゲインを乗算して出力する電気回路である。スイッチ６０３は、マイコン１２３からの指令信号によりオンとオフを切り替える電気回路である。減算器６０４は、ＦＥ信号生成部１１２から出力されるＦＥ信号とスイッチ６０３から出力される信号を減算して出力する電気回路である。
【０１５６】
フォーカスゲイン設定部６０１は、マイコン１２３からの設定信号に応じたゲインを設定する電気回路である。フォーカス駆動部１１６は、フォーカスゲイン設定部６０１から出力される信号に基づき、フォーカスアクチュエータ駆動信号を出力する。フォーカスアクチュエータ１０９は、対物レンズ１０５をフォーカス方向に移動させる。
【０１５７】
光学的クロストーク補正部６００は、ＦＥ信号に含まれる光学的クロストークを補正する。なお、光学的クロストーク補正部６００と、ＦＥ信号生成部１１２と、ＰＰＴＥ信号生成部１１７と、マイコン１２３とをまとめて、そのようなＦＥ信号に含まれる光学的クロストークを補正する補正部と称することもできる。
【０１５８】
フォーカスゲイン設定部６０１は、フォーカス制御のためのフォーカスループゲインを設定する。なお、フォーカスゲイン設定部６０１とマイコン１２３とをまとめて、そのようなフォーカス制御のためのフォーカスループゲインを設定する設定部と称することもできる。
【０１５９】
また、フォーカス制御部１１４とフォーカスゲイン設定部６０１とフォーカス駆動部１１６とをまとめて、フォーカス制御のための信号を出力するフォーカス制御部と称することもできる。
【０１６０】
次に、本実施形態の光ディスク装置１０の動作を説明する。なお、実施形態１と同様の動作についてはその説明を省略する。
【０１６１】
ＦＥ信号生成部１１２からのＦＥ信号は、クロストーク測定部（図示せず）に入力され、トラッキング制御オフ時における信号振幅とトラッキング制御オン時における信号振幅を比較し、振幅差をＦＥ信号に漏れ込む光学的クロストークの漏れ込みレベルとして出力される。なお、クロストーク測定部は、ＦＥ信号を入力できる任意の位置に配置されている。また、トラッキング制御オン時におけるＦＥ信号振幅の検出は、ディスクの種類の判別後に実行される。
【０１６２】
クロストーク測定部の出力である漏れ込みレベルは、マイコン１２３に入力される。マイコン１２３は、光学的クロストーク漏れ込みレベルに相当するゲイン設定信号を光学的クロストーク補正部６００に出力し、乗算器６０２のゲインを設定する。
【０１６３】
ＰＰＴＥ信号生成部１１７からのＰＰＴＥ信号は、光学的クロストーク補正部６００に入力され、乗算器６０２で設定されたゲインを乗じて出力される。乗算器６０２からの出力は、スイッチ６０３を経て減算器６０４に出力される。ＦＥ信号生成部１１２からのＦＥ信号とスイッチ６０３からの出力信号は、減算器６０４で減算され、ＦＥ信号に漏れ込む光学的クロストークの漏れ込み成分を補正した補正ＦＥ信号として出力され、フォーカス制御部１１４に入力される。
【０１６４】
フォーカス制御部１１４は補正ＦＥ信号からフォーカス駆動信号を生成し、フォーカスゲイン設定部６０１に入力される。フォーカスゲイン設定部６０１は、マイコン１２３から入力される設定信号に応じたゲインを乗算して出力する。フォーカスゲイン設定部６０１からの信号は、フォーカス駆動部１１６に入力、増幅されてフォーカスアクチュエータ１０９に出力される。
【０１６５】
以上の動作によって、補正ＦＥ信号を用いて、ＦＥ信号に漏れ込む光学的クロストークを補正しつつ、光ディスク１０６の情報層上における光ビームの収束状態を常に所定の収束状態になるように制御するフォーカス制御が実現される。
【０１６６】
ここで、本実施形態における光ディスク装置１０の起動手順における、トラッキング極性判別と光学的クロストーク補正の実行タイミングについて図１６を用いて説明する。
【０１６７】
図１６は、起動手順におけるトラッキング極性判別と光学的クロストーク補正の実行を示したフローチャートである。
【０１６８】
まず、装置起動において起動開始からフォーカス引き込みまでを実行する（Ｓ１１）。次にマイコン１２３は、入力されたＰＰＴＥ信号とＤＰＤＴＥ信号の位相関係に基づいて、実施形態１と同様のトラッキング極性判別を実行し、現在フォーカス制御オンされている情報層のトラッキング極性を判別する（Ｓ１２）。次にマイコン１２３は、判別結果に基づき、信号極性切替部１１８に極性を切り替えさせる（Ｓ１３）。
【０１６９】
ステップＳ１２のトラッキング極性判別結果より、情報層のトラッキング極性の判断を行う（Ｓ１４）。ステップＳ１４で、ランドトラックにトラッキング制御を行うと判断した場合、トラッキング制御オフ時におけるＦＥ信号振幅とトラッキング制御オン時におけるＦＥ信号振幅とを比較し、振幅差をＦＥ信号に漏れ込む光学的クロストークの漏れ込みレベルとして算出する（Ｓ１５）。
【０１７０】
次に、マイコン１２３は、光学的クロストークの漏れ込みレベルに応じて乗算器６０２のゲインを設定する（Ｓ１６）。次に、スイッチ６０３は、マイコン１２３からの指令信号によりオンとなり（Ｓ１７）、乗算器６０２のゲインを乗じたＰＰＴＥ信号を減算器６０４へ出力する。ＦＥ信号生成部１１２からのＦＥ信号とスイッチ６０３からの出力信号は、減算器６０４で減算され、ＦＥ信号に漏れ込む光学的クロストークの漏れ込み成分を補正した補正ＦＥ信号として出力され、補正ＦＥ信号はフォーカス制御に用いられる。その後、残りの起動手順を最後まで行い（Ｓ１８）、起動が完了する。
【０１７１】
また、ステップＳ１４で、グルーブトラックにトラッキング制御を行うと判断した場合、光学的クロストーク補正は行わず、ステップＳ１８を実行して起動が完了する。
【０１７２】
以上のように動作することで、光ディスク装置１０の起動時にフォーカス制御オンかつトラッキング制御オフ状態でディスクの種類を判別し、極性を適切に切り替えることができる。したがって、判別時間の短縮が可能となり、その結果、装置の起動時間を短縮することができる。
【０１７３】
また、トラッキング極性を判別した結果、トラッキング制御を行うべきトラックがランドトラックであれば、光学的クロストーク補正の実行を行うようにしたので、溝変調度が大きいＬＴＨディスクにおいて、光学的クロストーク成分によるフォーカス駆動電流の発生や、光学的クロストークによるフォーカス制御の振られを防ぐことができるため、消費電力の低減およびフォーカス制御の安定性向上が可能となり、光ディスク装置の記録再生性能を向上させることができる。
【０１７４】
また次に、本実施形態における光ディスク装置１０の起動手順における、トラッキング極性判別とフォーカスゲイン設定の実行タイミングについて図１７を用いて説明する。
【０１７５】
図１７は、起動手順におけるトラッキング極性判別とフォーカスゲイン設定の実行を示したフローチャートであり、図１６に示したステップと同様のステップには同じ参照番号を付し、同じ説明は省略する。
【０１７６】
まず、装置起動においてステップＳ１１〜Ｓ１４の動作を実行する。ステップＳ１４でランドトラックにトラッキング制御を行うと判断した場合、マイコン１２３はフォーカスゲイン設定部６０１に設定信号を出力し、フォーカスループゲインを下げる（Ｓ２１）。その後、ステップＳ１８を実行し、起動が完了する。
【０１７７】
また、ステップＳ１４でグルーブトラックにトラッキング制御を行うと判断した場合、フォーカスループゲインは下げず、ステップＳ１８を実行して起動が完了する。
【０１７８】
以上のように動作することで、光ディスク装置１０の起動時にフォーカス制御オンかつトラッキング制御オフ状態でディスクの種類を判別し、極性を適切に切り替えることができる。したがって、判別時間の短縮が可能となり、その結果、装置の起動時間短縮も実現できる。
【０１７９】
また、トラッキング極性を判別した結果、トラッキング制御を行うべきトラックがランドトラックであれば、フォーカスループゲインを下げるようにしたので、溝変調度が大きいＬＴＨディスクにおいて、光学的クロストーク成分によるフォーカス駆動電流の発生や、光学的クロストークによるフォーカス制御の振られを低下することができるため、消費電力の低減およびフォーカス制御の安定性向上が可能となり、光ディスク装置の記録再生性能を向上させることができる。
【０１８０】
なお、本実施形態においては、光学的クロストーク補正方法として、トラッキング制御オフ時におけるＦＥ信号振幅とトラッキング制御オン時におけるＦＥ信号振幅を比較してＦＥ信号に漏れ込む光学的クロストークの漏れ込みレベルを求め、レベルに応じたゲインを乗算器６０２に設定したが、光学的クロストーク補正方式はこのような方法に限定されない。
【０１８１】
なお、本実施形態においては、トラッキング極性判別を、実施形態１と同様に光ビームがトラックを横断するときのＰＰＴＥ信号とＤＰＤＴＥ信号の位相関係に基づいて行ったが、他の判別方法を用いてもよい。
【０１８２】
なお、本実施形態においては、ランドトラックにトラッキング制御を行うときはフォーカスループゲインを下げ、グルーブトラックにトラッキング制御を行うときはフォーカスループゲインを変えない構成としたが、以下の構成としてもよい。すなわち、光ディスク起動時にあらかじめフォーカスループゲインを下げておき、トラッキング制御を行うべきトラックがランドトラックであればフォーカスループゲインを変えず、グルーブトラックであればフォーカスループゲインを上げるようにしてもよい。
【０１８３】
このような構成にすることで、トラッキング極性を判別した結果、トラッキング制御を行うべきトラックがランドトラックであれば、フォーカスループゲインが低いまま装置の起動が継続されるため、溝変調度が大きいＬＴＨディスクにおいて、光学的クロストーク成分によるフォーカス駆動電流の発生や、光学的クロストークによるフォーカス制御の振られを低下することができるため、消費電力の低減およびフォーカス制御の安定性向上が可能となり、光ディスク装置の記録再生性能を向上させることができる。
【産業上の利用可能性】
【０１８４】
本発明の光ディスク装置は、フォーカス制御オンかつトラッキング制御オフ状態でトラッキング極性を判別するので、光ディスク装置の起動時間を短縮させる技術として有用である。【０１８５】
さらに本発明の光ディスク装置は、装置起動時にフォーカスエラー信号にトラッキングエラー信号が漏れ込む光学的クロストークが大きいディスクに対して、該当ディスクであることを判別して光学的クロストークを適切に補正、または、フォーカスゲインを下げるので、装置の消費電力を低下させ、フォーカス制御の安定性を向上させる効果を有し、光ディスク装置の記録再生性能を向上させる技術として有用である。
【符号の説明】
【０１８６】
１００  光ヘッド
１０１  光源
１０２  コリメータレンズ
１０３  偏光ビームスプリッタ
１０４  １／４波長板
１０５  対物レンズ
１０６  光ディスク
１０７  集光レンズ
１０８  ディテクタ
１０９  フォーカスアクチュエータ
１１０  トラッキングアクチュエータ
１１１  プリアンプ
１１２  フォーカスエラー（ＦＥ）信号生成部
１１４  フォーカス制御部
１１６  フォーカス駆動部
１１７  プッシュプルトラッキングエラー（ＰＰＴＥ）信号生成部
１１８  信号極性切替部
１１９  トラッキング制御部
１２０  スイッチ
１２１  トラッキング駆動部
１２２  位相差トラッキングエラー（ＤＰＤＴＥ）信号生成部
１２３  マイクロコンピュータ（マイコン）
【図１】
2009154000.tif 000003
【図２】
2009154000.tif 000004
【図３】
2009154000.tif 000005
【図４】
2009154000.tif 000006
【図５】
2009154000.tif 000007
【図６】
2009154000.tif 000008
【図７】
2009154000.tif 000009
【図８】
2009154000.tif 000010
【図９】
2009154000.tif 000011
【図１０】
2009154000.tif 000012
【図１１】
2009154000.tif 000013
【図１２】
2009154000.tif 000014
【図１３】
2009154000.tif 000015
【図１４】
2009154000.tif 000016
【図１５】
2009154000.tif 000017
【図１６】
2009154000.tif 000018
【図１７】
2009154000.tif 000019
【手続補正書】
【提出日】平成21年11月25日(2009.11.25)
【手続補正１】
【補正対象書類名】明細書
【補正対象項目名】全文
【補正方法】変更
【補正の内容】
【発明の詳細な説明】
【技術分野】
【０００１】
本発明は、レーザ光等を用いて光ディスク（再生専用、記録再生用などの各種の光ディスクを含む）に対して情報の記録または再生を行うディスク装置に関し、特に光ディスクのトラッキング極性を判別する機能を有する光ディスク装置に関する。
【背景技術】
【０００２】
ＤＶＤディスク（以降、ＤＶＤと称する）は、大容量のディジタル情報が記録可能な高記録密度光ディスクとして普及している。また、さらに記録密度の高いＢｌｕ−ｒａｙディスク（以降、ＢＤと称する）が提案されており、その中でも、記録可能なＢＤとして記録膜に相変化材料を用いたＢＤ−Ｒ、ＢＤ−ＲＥが実用化されている。
【０００３】
ここで、図２（ａ）を用いてＢＤ−Ｒディスクの構造と成膜方法を説明する。
【０００４】
図２（ａ）はＢＤ−Ｒディスクの断面の模式図である。ＢＤ−Ｒディスクでは、射出成型された基板２００にスパッタ等により反射層２０１を形成し、蒸着法により記録層２０２を形成し、接着層２０３を介してシート２０４を貼り合わせてある。なお基板２００の凹凸において、光ビームが照射される光ピックアップ（光ヘッド）に近い方をグルーブトラック、遠い方をランドトラックとすると、ＢＤ−Ｒディスクではデータの記録はグルーブトラックに行われる。
【０００５】
ところで近年、ディスクの低コスト化のために、記録膜材料として有機色素を用いてスピンコート法により記録膜の形成を行うＢＤ−Ｒディスクが提案、実用化されている。このディスクは記録膜の特性上、記録を行うと反射率が上がる特性を持っており、Ｌｏｗ−ｔｏ−Ｈｉｇｈディスク（以降、ＬＴＨディスクと称す）と呼ばれる。一方、上述した従来のＢＤ−Ｒ、ＢＤ−ＲＥは、記録を行うと反射率が下がる特性であるため、Ｈｉｇｈ−ｔｏ−Ｌｏｗディスク（以降、ＨＴＬディスクと称す）と呼ばれる。
【０００６】
ここで、図２（ｂ）を用いてＬＴＨディスクの構造と成膜方法を説明する。
【０００７】
図２（ｂ）はＬＴＨディスクの断面の模式図である。ＬＴＨディスクでは、射出成型された基板２１０にスパッタ等により反射層２１１を形成し、スピンコート法により記録層２１２を形成し、接着層２１３を介してシート２１４を貼り合わせてある。なお基板２１０の凹凸において、図２（ａ）と同様に光ビームが照射される光ピックアップに近い方をグルーブトラック、遠い方をランドトラックとすると、ＬＴＨディスクではデータの記録はランドトラックに行われることが望ましい。すなわち、記録層には所定の膜厚が必要であるため、グルーブトラックに記録を行うためにはグルーブトラックの膜厚を厚くしなければならず、これは材料費の増加を意味する。したがって、低コストを目指したＬＴＨディスクではデータの記録はランドトラックに行われる。
【０００８】
以上説明したように、ＢＤにはグルーブトラックに記録するディスクとランドトラックに記録するディスクの２種類が存在する。したがって、ＢＤを扱う光ディスク装置では、挿入されたディスクがグルーブトラック記録、ランドトラック記録のいずれのタイプのディスクであるかを判断し、それに応じたトラッキング極性でトラッキング制御を行うことが求められる。
【０００９】
グルーブトラックに対してデータの記録または再生を行うディスクでは、光ビームスポットをグルーブトラックに追従させるトラッキング制御を行う。ランドトラックに対してデータの記録または再生を行うディスクでは、光ビームスポットをランドトラックに追従させるトラッキング制御を行う。グルーブトラックに対してトラッキング制御を行う場合と、ランドトラックに対してトラッキング制御を行う場合とでは、トラッキングサーボの信号極性が異なる。このため、本明細書中では、データの記録または再生をグルーブトラックに対して行うディスクかランドトラックに対して行うディスクかを判別することを、トラッキング極性を判別すると表現する。なお、ランドとグルーブを対と捉えて、ランド極性およびグルーブ極性と称することもある。トラッキング極性の判別方法の一例を以下に説明する。
【００１０】
まず、ＢＤのコントロールデータ領域やＢＣＡ（Ｂｕｒｓｔ  Ｃｕｔｔｉｎｇ  Ａｒｅａ）領域には、グルーブトラックに記録するディスクかランドトラックに記録するディスクかを示すトラッキング極性情報が記録されている。これを利用して、装置起動時にディスクに記録されたトラッキング極性情報を再生することにより、トラッキング極性を判別することができる。
【００１１】
また、装置起動時に、一方のトラッキング極性にトラッキング引き込みを行い、記録されているアドレス情報が再生できた場合は当該トラッキング極性が正しいと判別し、再生できない場合は他方のトラッキング極性が正しいと判別する（例えば、特許文献１参照）。
【００１２】
また、他にも以下の手順でトラッキング極性判別を行うことができる。
【００１３】
まず、装置起動時にグルーブトラックに合わせた極性（グルーブ極性）でトラッキング引き込みを行い、グルーブトラックにトラッキング制御を行う。その状態で一定数のトラックにおけるアドレス読み取り率を計測する。次にランドトラックに合わせた極性（ランド極性）に切り替えてトラッキング引き込みを行い、グルーブ極性での計測と同様に一定数のトラックにおけるアドレス読み取り率の計測を行う。これら両極性における読み取り結果において、エラーの少ない方を正しいトラッキング極性と判断し、以降判断された極性でトラッキング制御を行う。
【先行技術文献】
【特許文献】
【００１４】
【特許文献１】国際公開第２００６／００６４５８号パンフレット
【発明の概要】
【発明が解決しようとする課題】
【００１５】
しかしながら、上記のトラッキング極性の判別方法においては以下の課題があった。
【００１６】
まず、ランドおよびグルーブのそれぞれに対してトラッキング制御を行った状態での測定結果から判別を行うため時間がかかり、その結果、装置の起動時間が増加してしまう。
【００１７】
さらに、トラッキング極性判別は、ランドおよびグルーブのそれぞれに対してトラッキング制御を行う必要があるため、事前に両トラッキング極性における各種学習を実行しなければならない。これは装置の起動において、トラッキング極性判別を開始するまでの時間がかかることを意味し、その結果、装置の起動時間が増加してしまう。
【００１８】
また、上述したＬＴＨディスクは規格上、ＨＴＬディスクに比べて溝変調度が高いため、プッシュプル法によるトラッキングエラー信号の変調度が高くなる。これは、フォーカスエラー信号として非点収差法を用いた場合、フォーカスエラー信号にプッシュプルトラッキングエラー信号が漏れ込む光学的クロストークが大きく発生することを意味する。光学的クロストークが発生すると、フォーカス制御により光スポットが光ディスクの情報層に対して垂直方向（以降、この方向をフォーカス方向と称す）に振られ、この振られ方が大きい場合はフォーカス制御が外れる場合がある。さらに、光学的クロストークが大きい場合、フォーカス制御に用いるアクチュエータ駆動電流も同様に大きくなり、その大きな駆動電流による発熱によりアクチュエータに悪影響を与えることになる。
【００１９】
本発明は上記課題を解決するためになされたものであり、フォーカス制御オンかつトラッキング制御オフ状態でトラッキング極性を判別する光ディスク装置を提供する。
【課題を解決するための手段】
【００２０】
本発明の光ディスク装置は、グルーブトラックおよびランドトラックうちの一方にデータが記録される情報担体に対して、データの記録および再生の少なくとも一方を行う光ディスク装置であって、前記情報担体からの反射光を受光する受光部と、前記受光部の出力信号に基づき、前記情報担体上の光ビームの照射位置と前記トラックとの間の位置ずれを検出する検出部と、前記情報担体の種類が、データの記録または再生をグルーブトラックに対して行う情報担体であるか、ランドトラックに対して行う情報担体であるかを判別する判別部と、を備え、前記判別部は、フォーカス制御を行い且つトラッキング制御を行わない状態で前記情報担体の種類の判別を行うことを特徴とする。
【００２１】
ある実施形態によれば、前記判別部は、前記トラッキング制御を行わない状態において前記光ビームが前記トラックを横切ることで発生する信号に基づいて前記情報担体の種類の判別を行う。
【００２２】
ある実施形態によれば、前記受光部の出力信号に基づいて、前記光ビームの収束状態を示すフォーカスエラー信号を生成するフォーカスエラー信号生成部と、前記フォーカスエラー信号に基づいて、フォーカス制御のための信号を出力するフォーカス制御部と、をさらに備え、前記判別部は、前記フォーカス制御部の出力信号の振幅の大きさに基づいて前記情報担体の種類の判別を行う。
【００２３】
ある実施形態によれば、前記検出部は、プッシュプルトラッキングエラー信号および位相差トラッキングエラー信号を生成し、前記判別部は、前記プッシュプルトラッキングエラー信号と前記位相差トラッキングエラー信号との位相関係に基づいて前記情報担体の種類の判別を行う。
【００２４】
ある実施形態によれば、前記受光部の出力信号に基づいて、前記光ビームの収束状態を示すフォーカスエラー信号を生成するフォーカスエラー信号生成部をさらに備え、前記検出部は位相差トラッキングエラー信号を生成し、前記判別部は、前記フォーカスエラー信号の成分と前記位相差トラッキングエラー信号との位相関係に基づいて前記情報担体の種類の判別を行う。
【００２５】
ある実施形態によれば、前記検出部は、トラッキングエラー信号を生成し、前記光ディスク装置は、前記受光部の出力信号に基づき、前記光ビームの戻り光量を検出する光量検出部と、前記トラッキングエラー信号を前記光量検出部の出力信号で正規化する正規化部と、をさらに備え、前記判別部は、前記正規化されたトラッキングエラー信号の振幅の大きさに基づいて前記情報担体の種類の判別を行う。
【００２６】
ある実施形態によれば、前記受光部の出力信号に基づき、前記光ビームの戻り光量を検出する光量検出部をさらに備え、前記判別部は、前記光量検出部の出力信号のレベルに基づいて前記情報担体の種類の判別を行う。
【００２７】
ある実施形態によれば、前記受光部の出力信号に基づいて、前記光ビームの収束状態を示すフォーカスエラー信号を生成するフォーカスエラー信号生成部と、フォーカス制御のための信号を出力するフォーカス制御部と、前記フォーカスエラー信号に含まれる光学的クロストークを補正する補正部と、をさらに備え、前記補正部は、前記判別部の判別結果に基づいて前記補正を行い、前記フォーカス制御部は、前記補正されたフォーカスエラー信号に基づいて、前記フォーカス制御のための信号を出力する。
【００２８】
ある実施形態によれば、フォーカス制御のためのフォーカスループゲインを設定する設定部をさらに備え、前記情報担体の種類が、データの記録または再生をランドトラックに対して行う情報担体であると前記判別部が判別した場合、前記設定部は前記判別前よりも前記フォーカスループゲインを下げる。
【００２９】
ある実施形態によれば、フォーカス制御のためのフォーカスループゲインを設定する設定部をさらに備え、前記情報担体の種類が、データの記録または再生をグルーブトラックに対して行う情報担体であると前記判別部が判別した場合、前記設定部は前記判別前よりも前記フォーカスループゲインを上げる。
【００３０】
本発明の光ディスク装置の駆動方法は、グルーブトラックおよびランドトラックうちの一方にデータが記録される情報担体に対して、データの記録および再生の少なくとも一方を行う光ディスク装置の駆動方法であって、前記情報担体からの反射光を受光するステップと、前記受光により得られた信号に基づき、前記情報担体上の光ビームの照射位置と前記トラックとの間の位置ずれを検出するステップと、前記情報担体の種類が、データの記録または再生をグルーブトラックに対して行う情報担体であるか、ランドトラックに対して行う情報担体であるかを判別するステップと、を包含し、前記情報担体の種類の判別は、フォーカス制御を行い且つトラッキング制御を行わない状態で行うことを特徴とする。
【００３１】
本発明の集積回路は、情報担体に対してデータの記録および再生の少なくとも一方を行う光ディスク装置に搭載されたときに、前記情報担体の種類を判別する集積回路であって、前記情報担体上の光ビームの照射位置とトラックとの間の位置ずれを検出する検出部と、前記情報担体の種類が、データの記録または再生をグルーブトラックに対して行う情報担体であるか、ランドトラックに対して行う情報担体であるかを判別する判別部と、を備え、前記判別部は、フォーカス制御を行い且つトラッキング制御を行わない状態で前記情報担体の種類の判別を行うことを特徴とする。
【発明の効果】
【００３２】
本発明によれば、フォーカス制御を行い且つトラッキング制御を行わない状態で光ディスクの種類の判別を行う。トラッキング引き込みを行わずに光ディスクの種類を判別することが可能となるため、判別時間を短縮でき、光ディスク装置の起動時間を短縮することができる。
【００３３】
また、本発明のある実施形態によれば、トラッキング制御を行わない状態において光ビームがトラックを横切ることで発生する信号に基づいて光ディスクの種類の判別を行う。トラッキング引き込みを行わずに光ディスクの種類を判別することが可能となるため、判別時間を短縮でき、光ディスク装置の起動時間を短縮することができる。
【００３４】
また、本発明のある実施形態によれば、フォーカス制御部の出力信号の振幅の大きさに基づいて光ディスクの種類の判別を行う。トラッキング引き込みを行わずに光ディスクの種類を判別することが可能となるため、判別時間を短縮でき、光ディスク装置の起動時間を短縮することができる。
【００３５】
また、本発明のある実施形態によれば、プッシュプルトラッキングエラー信号と位相差トラッキングエラー信号との位相関係に基づいて光ディスクの種類の判別を行う。トラッキング引き込みを行わずに光ディスクの種類を判別することが可能となるため、判別時間を短縮でき、光ディスク装置の起動時間を短縮することができる。
【００３６】
また、本発明のある実施形態によれば、フォーカスエラー信号の成分と位相差トラッキングエラー信号との位相関係に基づいて光ディスクの種類の判別を行う。トラッキング引き込みを行わずに光ディスクの種類を判別することが可能となるため、判別時間を短縮でき、光ディスク装置の起動時間を短縮することができる。
【００３７】
また、本発明のある実施形態によれば、光ビームの戻り光量を検出する光量検出部の出力信号で正規化したトラッキングエラー信号の振幅の大きさに基づいて光ディスクの種類の判別を行う。トラッキング引き込みを行わずに光ディスクの種類を判別することが可能となるため、判別時間を短縮でき、光ディスク装置の起動時間を短縮することができる。
【００３８】
また、本発明のある実施形態によれば、光ビームの戻り光量を検出する光量検出部の出力信号のレベルに基づいて光ディスクの種類の判別を行う。トラッキング引き込みを行わずに光ディスクの種類を判別することが可能となるため、判別時間を短縮でき、光ディスク装置の起動時間を短縮することができる。
【００３９】
また、本発明のある実施形態によれば、ディスク判別結果に基づいて光学的クロストークが補正されたフォーカスエラー信号に基づいて、フォーカス制御のための信号を出力する。溝変調度が大きいＬＴＨディスクを用いた場合でも、光学的クロストーク成分に起因するフォーカス駆動電流の発生や、光学的クロストークに起因するフォーカス制御の振られを防ぐことができるため、消費電力の低減およびフォーカス制御の安定性向上が可能となり、光ディスク装置の記録再生性能を向上させることができる。
【００４０】
また、本発明のある実施形態によれば、光ディスクの種類が、データの記録または再生をランドトラックに対して行う光ディスクであると判別した場合は、判別前よりもフォーカスループゲインを下げる。溝変調度が大きいＬＴＨディスクを用いる場合にフォーカスループゲインを下げることで、光学的クロストーク成分に起因するフォーカス駆動電流の発生や、光学的クロストークに起因するフォーカス制御の振られを低減させることができるため、消費電力の低減およびフォーカス制御の安定性向上が可能となり、光ディスク装置の記録再生性能を向上させることができる。
【００４１】
また、本発明のある実施形態によれば、光ディスクの種類が、データの記録または再生をグルーブトラックに対して行う光ディスクであると判別した場合は、判別前よりもフォーカスループゲインを上げる。予めゲインを下げておくことで、溝変調度が大きいＬＴＨディスクが装置に挿入された直後から、光学的クロストーク成分に起因するフォーカス駆動電流の発生や、光学的クロストークに起因するフォーカス制御の振られを低減させることができるため、消費電力の低減およびフォーカス制御の安定性向上が可能となり、光ディスク装置の記録再生性能を向上させることができる。
【図面の簡単な説明】
【００４２】
【図１】本発明の実施形態１の光ディスク装置を示すブロック図である。
【図２】（ａ）および（ｂ）は、グルーブトラックおよびランドトラックを持つ光ディスクの模式図である。
【図３】本発明の実施形態１におけるディテクタの検出領域を示す平面図である。
【図４】本発明の実施形態１におけるＦＥ信号生成部を示すブロック図である。
【図５】本発明の実施形態１におけるＰＰＴＥ信号生成部を示すブロック図である。
【図６】本発明の実施形態１におけるＤＰＤＴＥ信号生成部を示すブロック図である。
【図７】（ａ）から（ｊ）は、本発明の実施形態１における、ＨＴＬディスクおよびＬＴＨディスクの情報層の断面と、各ディスクにおける光ビームトラック横断時のＰＰＴＥ信号波形およびＤＰＤＴＥ信号波形と、各波形をゼロクロスで２値化した波形とのそれぞれの間の関係を示す図である。
【図８】本発明の実施形態２の光ディスク装置を示すブロック図である。
【図９】（ａ）から（ｊ）は、本発明の実施形態２における、ＨＴＬディスクおよびＬＴＨディスクの情報層の断面と、各ディスクにおける光ビームトラック横断時のＦＥ信号への光学的クロストークによる漏れ込み成分の波形およびＤＰＤＴＥ信号波形と、各波形をゼロクロスで２値化した波形とのそれぞれの間の関係を示す図である。
【図１０】本発明の実施形態３の光ディスク装置を示すブロック図である。
【図１１】本発明の実施形態４の光ディスク装置を示すブロック図である。
【図１２】本発明の実施形態４におけるＡＳ信号生成部を示すブロック図である。
【図１３】本発明の実施形態５の光ディスク装置を示すブロック図である。
【図１４】本発明の実施形態６の光ディスク装置を示すブロック図である。
【図１５】本発明の実施形態６における光学的クロストーク補正部を示すブロック図である。
【図１６】本発明の実施形態６における、装置起動時のトラッキング極性判別と光学的クロストーク補正の切り替え手順を示したフローチャートである。
【図１７】本発明の実施形態６における、装置起動時のトラッキング極性判別とフォーカスゲイン設定の切り替え手順を示したフローチャートである。
【発明を実施するための形態】
【００４３】
以下、図面を参照しながら本発明の実施形態を説明する。
【００４４】
（実施形態１）
図１は、本発明の実施形態１における光ディスク装置１０を示すブロック図である。光ディスク装置１０は、例えば記録再生装置、再生専用装置、記録装置、編集装置等である。
【００４５】
図１において、光源１０１は例えば半導体レーザ素子であり、情報担体１０６の情報層に対して光ビームを出力する光源である。情報担体１０６は、グルーブトラックおよびランドトラックうちの一方にデータが記録される光ディスクである。情報担体１０６は、再生専用の光ディスクであってもよい。光ディスク装置１０は、光ディスク１０６に対してデータの記録および再生の少なくとも一方を行う。
【００４６】
コリメータレンズ１０２は、光源１０１から出射された発散光を平行光に変換するレンズである。偏光ビームスプリッタ１０３は、光源１０１から出射された直線偏光を全反射し、その光源１０１から出射される直線偏光と直交する方向の直線偏光を全透過する光学素子である。１／４波長板１０４は、透過する光の偏光を円偏光から直線偏光に、もしくは直線偏光から円偏光に変換する光学素子である。対物レンズ１０５は、光ディスク１０６の情報層に光ビームを集光するレンズである。
【００４７】
光ディスク１０６は、図２（ａ）および（ｂ）で示されるようにグルーブトラックおよびランドトラックを持ち、グルーブトラックおよびランドトラックのうちのいずれかにデータが記録される光ディスクである。
【００４８】
集光レンズ１０７は、偏光ビームスプリッタ１０３を透過した光ビームをディテクタ１０８に集光するレンズである。ディテクタ１０８は、受光した光を電気信号に変換する素子であり、４分割の検出領域を有する。
【００４９】
図３は、ディテクタ１０８の検出領域を示す平面図である。図３に示すように、ディテクタ１０８の検出領域は、Ａ、Ｂ、Ｃ、Ｄの４つの領域に分割されている。図の左右方向が光ディスク１０６の径方向（以降、トラッキング方向と称す）に対応し、上下方向がトラック長手方向に対応している。
【００５０】
プリアンプ１１１は、ディテクタ１０８の各領域からの出力電流を電圧に変換する電気素子である。ＦＥ信号生成部１１２は、プリアンプ１１１の複数の出力信号から、非点収差法により光ディスク１０６の情報層上における光ビームの収束状態に対応するフォーカスエラー信号（以降、ＦＥ信号と称す）を生成する電気回路である。
【００５１】
図４にＦＥ信号生成部１１２の構成を示す。図４に示すように、加算器１２４ａは、ディテクタ１０８の検出領域ＡおよびＣからの出力電流がプリアンプ１１１によって電圧に変換された２つの出力信号を加算して出力する電気回路である。加算器１２４ｂは、ディテクタ１０８の検出領域ＢおよびＤからの出力電流がプリアンプ１１１によって電圧に変換された２つの出力信号を加算して出力する電気回路である。減算器１２５は、加算器１２４ａおよび１２４ｂから出力される信号を減算して出力する電気回路である。
【００５２】
フォーカス制御部１１４は、ＦＥ信号生成部１１２から出力される信号に基づき、フォーカス制御信号を出力する電気回路である。フォーカス駆動部１１６は、フォーカス制御部１１４から出力される信号に基づき、フォーカスアクチュエータ駆動信号を出力する電気回路である。フォーカスアクチュエータ１０９は、対物レンズ１０５をフォーカス方向に移動させる要素であり、フォーカスアクチュエータ駆動信号によって駆動される。
【００５３】
ＰＰＴＥ信号生成部１１７は、プリアンプ１１１の複数の出力信号から、光ディスク１０６の情報層上における光スポットとトラックの位置関係を示すプッシュプルトラッキングエラー信号（以降、ＰＰＴＥ信号と称す）を生成する電気回路である。
【００５４】
図５にＰＰＴＥ信号生成部１１７の構成を示す。図５に示すように、加算器１２９ａは、ディテクタ１０８の検出領域ＡおよびＢからの出力電流がプリアンプ１１１によって電圧に変換された２つの出力信号を加算して出力する電気回路である。加算器１２９ｂは、ディテクタ１０８の検出領域ＣおよびＤからの出力電流がプリアンプ１１１によって電圧に変換された２つの出力信号を加算して出力する電気回路である。減算器１３０は、加算器１２９ａおよび１２９ｂから出力される信号を減算して出力する電気回路である。
【００５５】
信号極性切替部１１８は、マイクロコンピュータ１２３（以降、マイコンと称す）からの設定信号に応じてＰＰＴＥ信号生成部１１７から出力されるＰＰＴＥ信号の極性を切り替えて出力する電気回路である。トラッキング制御部１１９は、信号極性切替部１１８から出力される信号に基づき、トラッキング制御信号を出力する電気回路である。スイッチ１２０は、マイコン１２３からの指令信号により、トラッキング制御のオンとオフを切り替える電気回路である。トラッキング駆動部１２１は、スイッチ１２０から出力される信号に基づき、トラッキングアクチュエータ駆動信号を出力する電気回路である。トラッキングアクチュエータ１１０は、対物レンズ１０５をトラッキング方向に移動させる要素であり、トラッキングアクチュエータ駆動信号により駆動される。
【００５６】
ＤＰＤＴＥ信号生成部１２２は、プリアンプ１１１の複数の出力信号から、光ディスク１０６の情報層上における光スポットと、トラック上のマークまたはピットとの位置関係を示す位相差ＴＥ信号（以降、ＤＰＤＴＥ信号と称す）を生成する電気回路である。
【００５７】
図６にＤＰＤＴＥ信号生成部１２２の構成を示す。図６に示すように、加算器１３１ａは、ディテクタ１０８の検出領域ＡおよびＣからの出力電流がプリアンプ１１１によって電圧に変換された２つの出力信号を加算して出力する電気回路である。加算器１３１ｂは、ディテクタ１０８の検出領域ＢおよびＤからの出力電流がプリアンプ１１１によって電圧に変換された２つの出力信号を加算して出力する電気回路である。コンパレータ１３２ａ、１３２ｂは、加算器１３１ａ、１３１ｂの出力を２値化して出力する電気回路である。位相比較器１３３は、コンパレータ１３２ａ、１３２ｂから出力される２値化信号を比較して、エッジの位相進みおよび位相遅れに対応する時間幅のパルスを出力する電気回路である。ローパスフィルタ１３４は、位相比較器１３３から出力されるパルス信号を平滑化する電気回路である。
【００５８】
光ディスク装置１０の光ヘッド１００は、光源１０１と、コリメータレンズ１０２と、偏光ビームスプリッタ１０３と、１／４波長板１０４と、対物レンズ１０５と、集光レンズ１０７と、ディテクタ１０８と、フォーカスアクチュエータ１０９と、トラッキングアクチュエータ１１０とを備えている。
【００５９】
上述したように、ディテクタ１０８は光ディスク１０６の情報層からの反射光を受光する受光部として機能する。なお、ディテクタ１０８とプリアンプ１１１とをまとめて受光部と称してもよい。
【００６０】
また、ＦＥ信号生成部１１２は、ディテクタ１０８の出力信号に基づいて、光ビームの収束状態を示すフォーカスエラー信号を生成するフォーカス状態検出部として機能する。なお、プリアンプ１１１およびＦＥ信号生成部１１２をまとめてフォーカス状態検出部と称してもよい。
【００６１】
また、フォーカスアクチュエータ１０９は、光ビームの収束点を光ディスク１０６の情報層に対し垂直方向に移動するフォーカス方向移動部として機能する。
【００６２】
また、フォーカス制御部１１４は、フォーカスエラー信号に基づいて、フォーカス制御のための信号を出力する。なお、フォーカス制御部１１４とフォーカス駆動部１１６とをまとめてフォーカス制御部と称してもよく、フォーカスアクチュエータ１０９を駆動し、光ビームの収束点が所定の収束状態になるよう制御する。
【００６３】
また、ＰＰＴＥ信号生成部１１７は、光ディスク１０６上の光ビームの照射位置とトラックとの間の位置ずれを検出するトラックずれ検出部として機能する。なお、プリアンプ１１１とＰＰＴＥ信号生成部１１７とをまとめてトラックずれ検出部と称してもよい。
【００６４】
また、トラッキングアクチュエータ１１０は、光ディスク１０６上の光ビームの収束点をトラック長手方向に垂直な方向に移動させるトラック方向移動部として機能する。
【００６５】
また、信号極性切替部１１８、トラッキング制御部１１９、スイッチ１２０およびトラッキング駆動部１２１は、ＰＰＴＥ信号生成部１１７からの信号に基づきトラッキングアクチュエータ１１０を駆動し、光ビームの収束点がグルーブトラックまたはランドトラック上を正しく走査するように制御する。信号極性切替部１１８、トラッキング制御部１１９、スイッチ１２０およびトラッキング駆動部１２１をまとめて、トラッキング制御部と称してもよい。
【００６６】
また、ＤＰＤＴＥ信号生成部１２２は、受光して得られる信号の位相ずれに基づき、グルーブトラックあるいはランドトラック上のマークまたはピットと、光ビームの収束点との位置ずれを検出する位相差トラックずれ検出部として機能する。なお、プリアンプ１１１とＤＰＤＴＥ信号生成部１２２とをまとめて位相差トラックずれ検出部と称してもよい。また、ＰＰＴＥ信号生成部１１７とＤＰＤＴＥ信号生成部１２２と（プリアンプ１１１と）をまとめてトラックずれ検出部と称してもよい。
【００６７】
また、マイコン１２３は、グルーブトラックあるいはランドトラックのいずれにトラッキング制御を行うかを判別するトラッキング極性判別部として機能する。すなわち、マイコン１２３は、光ディスク装置１０内に載置された光ディスク１０６の種類が、データの記録または再生をグルーブトラックに対して行う光ディスクであるか、ランドトラックに対して行う光ディスクであるかを判別する。この判別は、フォーカス制御を行い且つトラッキング制御を行わない状態において、光ビームがトラックを横切ることで発生する信号に基づいて行う。このような光ビームがトラックを横切ることで発生する信号の詳細は後述する。なお、マイコン１２３とＰＰＴＥ信号生成部１１７とＤＰＤＴＥ信号生成部１２２とをまとめてトラッキング極性判別部と称してもよい。
【００６８】
また、信号極性切替部１１８は、光ディスク１０６の種類の判別結果に基づいて、トラッキング極性の切り替えを行うトラッキング極性切替部として機能する。なお、マイコン１２３と信号極性切替部１１８とをまとめてトラッキング極性切替部と称してもよい。
【００６９】
また、ＰＰＴＥ信号生成部１１７、ＤＰＤＴＥ信号生成部１２２、マイコン１２３、信号極性切替部１１８は、集積回路１１として1つの半導体チップにまとめて実装されていてもよい。このような集積回路１１は、光ディスク装置１０に搭載されたときに、光ディスク１０６の種類を判別する装置として機能する。なお、それらの構成要素の全てが集積回路１１に実装されていなくてもよく、また、それら以外の構成要素が集積回路１１に実装されていてもよい。
【００７０】
次に、光ディスク装置１０の動作をより詳細に説明する。
【００７１】
光源１０１から出射された直線偏光の光ビームは、コリメータレンズ１０２に入射され、コリメータレンズ１０２によって平行光にされる。コリメータレンズ１０２によって平行光にされた光ビームは、偏光ビームスプリッタ１０３に入射される。偏光ビームスプリッタ１０３を反射した光ビームは、１／４波長板１０４で円偏光にされる。１／４波長板１０４で円偏光にされた光ビームは、対物レンズ１０５に入射され、光ディスク１０６上に収束照射される。
【００７２】
光ディスク１０６で反射した光ビームは、偏光ビームスプリッタ１０３を透過し、集光レンズ１０７に入射される。集光レンズ１０７に入射された光ビームは、ディテクタ１０８に入射される。ディテクタ１０８に入射された光ビームはＡ〜Ｄの各領域で電気信号に変換される。ディテクタ１０８の各領域で得られた電気信号は、プリアンプ１１１で電圧に変換される。プリアンプ１１１の複数の出力信号は、ＦＥ信号生成部１１２で非点収差法によりＦＥ信号に演算される。ＦＥ信号生成部１１２から出力されたＦＥ信号は、フォーカス制御部１１４に入力され、例えばＤＳＰ（ディジタルシグナルプロセッサ）によるディジタルフィルタで構成された位相補償回路、低域補償回路を通過して、フォーカス駆動信号となる。フォーカス制御部１１４から出力されたフォーカス駆動信号は、フォーカス駆動部１１６に入力し、増幅されてフォーカスアクチュエータ１０９に出力される。
【００７３】
以上の動作によって、ＦＥ信号を用いて、光ディスク１０６の情報層上における光ビームの収束状態を常に所定の収束状態になるように制御するフォーカス制御が実現される。
【００７４】
また、プリアンプ１１１の複数の出力信号は、ＰＰＴＥ信号生成部１１７でプッシュプル法によってＰＰＴＥ信号に演算される。また、プリアンプ１１１の複数の出力信号は、ＤＰＤＴＥ信号生成部１２２で位相差法によってＤＰＤＴＥ信号に演算される。ＰＰＴＥ信号生成部１１７から出力されたＰＰＴＥ信号と、ＤＰＤＴＥ信号生成部１２２から出力されたＤＰＤＴＥ信号は、マイコン１２３に入力される。
【００７５】
マイコン１２３は、入力されたＰＰＴＥ信号とＤＰＤＴＥ信号に基づいて、光ビームを照射している光ディスク１０６の情報層において、グルーブトラックあるいはランドトラックのいずれにデータが記録されているかを判別し、トラッキング制御を行うべきトラッキング極性を決定し、信号極性切替部１１８へ制御信号を出力する。
【００７６】
ＰＰＴＥ信号生成部１１７からのＰＰＴＥ信号は、信号極性切替部１１８に入力される。信号極性切替部１１８は、マイコン１２３から入力された制御信号に基づいて、入力されたＰＰＴＥ信号の極性を切り替えた信号をトラッキング制御部１１９へ出力する。
【００７７】
トラッキング制御部１１９に入力された信号は、例えばＤＳＰによるディジタルフィルタで構成された位相補償回路、低域補償回路を通過して、トラッキング駆動信号となる。トラッキング制御部１１９からのトラッキング駆動信号は、スイッチ１２０に入力される。スイッチ１２０は、トラッキング引き込みに応じたマイコン１２３からの指令信号によりスイッチをオンし、トラッキング駆動信号をトラッキング駆動部１２１へ出力する。トラッキング駆動部１２１に入力されたトラッキング駆動信号は、増幅されてトラッキングアクチュエータ１１０に出力される。
【００７８】
以上の動作によって、ＰＰＴＥ信号を用いて、光ディスク１０６の情報層においてデータが記録されているグルーブトラックあるいはランドトラックのいずれか所望のトラック上を正しく走査するように制御するトラッキング制御が実現される。
【００７９】
なお、トラッキング制御を行っている状態とは、トラッキングアクチュエータ１１０が駆動信号に応じて対物レンズ１０５をトラッキング方向に沿って移動させている状態を指す。トラッキング制御を行っていない状態とは、トラッキングアクチュエータ１１０が駆動信号に応じて対物レンズ１０５をトラッキング方向に沿って移動させていない状態を指す。トラッキング制御を行っていない状態は、例えば、スイッチ１２０をオフ状態にすることにより実現できるが、他の動作により実現してもよい。
【００８０】
ここで、本実施形態におけるトラッキング極性判別（ディスク種類判別）について図７を用いて説明する。
【００８１】
図７は、グルーブトラック記録ディスク（ＨＴＬディスク）およびランドトラック記録ディスク（ＬＴＨディスク）の情報層の断面と、各ディスクにおけるＰＰＴＥ信号波形およびＤＰＤＴＥ信号波形と、各ＴＥ信号をゼロクロスで２値化した信号の波形とを示す図であり、それぞれの間の対応関係を示している。
【００８２】
図７（ａ）はＨＴＬディスクの情報層の断面図であり、図７（ｆ）はＬＴＨディスクの情報層の断面図であり、いずれも図の上方向から光ビームが照射されるとする。
【００８３】
また、グルーブトラックの中心は破線、ランドトラックの中心は一点鎖線で示した位置である。ＨＴＬディスクではグルーブトラック上に、ＬＴＨディスクではランドトラック上にマークが形成されている。
【００８４】
図７（ｂ）および（ｇ）は、図７（ａ）および（ｆ）の各ディスクの情報層に対し、光ビームがトラックを横断したときに検出されるＰＰＴＥ信号を示している。
【００８５】
図７（ｂ）および（ｇ）に示すように、光ビームがトラックを横断した際に検出されるＰＰＴＥ信号は、グルーブトラックおよびランドトラックでそれぞれゼロクロスをする正弦波状の波形である。またこのように光ビームがトラックを横断した際に検出されるＰＰＴＥ信号は、ＨＴＬディスク、ＬＴＨディスクで振幅は異なっていても信号形状は同一である。
【００８６】
一方、図７（ｃ）および（ｈ）は、図７（ａ）および（ｆ）の各ディスクの情報層に対し、光ビームがトラックを横断したときに検出されるＤＰＤＴＥ信号を示している。
【００８７】
ここでＤＰＤＴＥ信号を生成する位相差法は、光ビームがピットやマークを通過するとき、ピットやマークと光ビームとのトラッキング方向の位置ずれを検出する方式であるため、トラックの極性に依存しない。したがって、ＤＰＤＴＥ信号は、図７（ｃ）および（ｈ）に示すように、マークが存在するトラックでゼロクロスするノコギリ波状の波形である。
【００８８】
また、図７（ｄ）および（ｅ）は、図７（ｂ）および（ｃ）の信号をそれぞれゼロクロスで２値化した信号を示している。また、図７（ｉ）および（ｊ）は、図７（ｇ）および（ｈ）の信号をそれぞれゼロクロスで２値化した信号を示している。
【００８９】
本実施形態では、上述したＰＰＴＥ信号およびＤＰＤＴＥ信号の特性を利用してトラッキング極性の判別を行う。
【００９０】
すなわち、光ビームがトラックを横断するときのＰＰＴＥ信号とＤＰＤＴＥ信号の位相関係に着目し、図７（ｂ）および（ｃ）のようにＰＰＴＥ信号とＤＰＤＴＥ信号が同位相関係であればグルーブトラック記録ディスクと判別し、図７（ｇ）および（ｈ）のようにＰＰＴＥ信号とＤＰＤＴＥ信号が逆位相関係であればランドトラック記録ディスクと判別する。
【００９１】
また、ＰＰＴＥ信号とＤＰＤＴＥ信号との位相関係は、両信号をゼロクロスで２値化した信号によって判別する。
【００９２】
すなわち、図７（ｄ）および（ｅ）のように、ＰＰＴＥ信号を２値化した信号がＨｉｇｈの区間において、ＤＰＤＴＥ信号を２値化した信号がＨｉｇｈであれば、ＰＰＴＥ信号とＤＰＤＴＥ信号は同位相であると判別する。
【００９３】
一方、図７（ｉ）および（ｊ）のように、ＰＰＴＥ信号を２値化した信号がＨｉｇｈの区間において、ＤＰＤＴＥ信号を２値化した信号がＬｏｗであれば、ＰＰＴＥ信号とＤＰＤＴＥ信号は逆位相であると判別する。
【００９４】
以上によって、光ビームがトラックを横断するときのＰＰＴＥ信号とＤＰＤＴＥ信号から、トラッキング極性が判別できる。
【００９５】
したがって、トラッキング引き込みを行わずにトラッキング極性の判別が可能となるため、トラッキング極性判別時間の短縮が可能となり、その結果、起動時間の短縮も実現できる。
【００９６】
なお、本実施形態においては、トラッキング極性判別におけるＰＰＴＥ信号とＤＰＤＴＥ信号の位相関係の判別方法として、各信号をゼロクロスで２値化した信号を用いるとしたが、このような信号を用いた判別方法に限定されることはない。
【００９７】
（実施形態２）
図８は、実施形態２における光ディスク装置１０を示すブロック図である。なお、図１に示す光ディスク装置１０と同様の構成要素には同様の参照番号を付し、同じ説明は省略する。
【００９８】
本実施形態において、マイコン１２３は、フォーカスエラー信号の成分と位相差トラッキングエラー信号との位相関係に基づいてトラッキング極性の判別を行うトラッキング極性判別部として機能する。なお、マイコン１２３とＦＥ信号生成部１１２とＤＰＤＴＥ信号生成部１２２とをまとめてトラッキング極性判別部と称することもできる。
【００９９】
次に、本実施形態の光ディスク装置１０の動作を説明する。なお、実施形態１と同様の動作ついてはその説明を省略する。
【０１００】
ＦＥ信号生成部１１２からのＦＥ信号と、ＤＰＤＴＥ信号生成部１２２からのＤＰＤＴＥ信号は、マイコン１２３に入力される。マイコン１２３は入力されたＦＥ信号とＤＰＤＴＥ信号に基づいて、光ビームを照射している光ディスク１０６の情報層においてグルーブトラックあるいはランドトラックのいずれにデータが記録されているかを判別し、トラッキング制御を行うべきトラッキング極性を決定し、信号極性切替部１１８へ制御信号を出力する。
【０１０１】
ここで、本実施形態におけるトラッキング極性判別について、図９を用いて説明する。なお、図７と同様の部分に関してはその説明を省略する。
【０１０２】
図９は、グルーブトラック記録ディスク（ＨＴＬディスク）およびランドトラック記録ディスク（ＬＴＨディスク）の情報層の断面と、各ディスクにおけるＦＥ信号に混入する光学的クロストーク漏れ込み成分の波形と、ＤＰＤＴＥ信号波形と、それら漏れ込み成分およびＤＰＤＴＥ信号をゼロクロスで２値化した信号の波形とを示す図であり、それぞれの間の対応関係を示している。
【０１０３】
図９（ａ）および（ｆ）は、図７（ａ）および（ｆ）と同じく、情報層の断面を示している。図９（ｂ）および（ｇ）は、図９（ａ）および（ｆ）の各ディスクの情報層に対し、光ビームがトラックを横断したときに検出されるＦＥ信号の光学的クロストーク漏れ込み成分を示している。光学的クロストークは、上述したように、ＦＥ信号にＰＰＴＥ信号が漏れ込む現象であるため、その漏れ込み成分はＰＰＴＥ信号と同位相の信号となる。
【０１０４】
したがって、各ディスクに対し、光ビームがトラックを横断したときのＦＥ信号の光学的クロストーク漏れ込み成分（図９（ｂ）および（ｇ））は、光ビームがトラックを横断したときのＰＰＴＥ信号（図７（ｂ）および（ｇ））と同位相の信号となる。
【０１０５】
また、図９（ｄ）および（ｅ）は、図９（ｂ）および（ｃ）の信号をそれぞれゼロクロスで２値化した信号を示している。また、図９（ｉ）および（ｊ）は、図９（ｇ）および（ｈ）の信号をそれぞれゼロクロスで２値化した信号を示している。
【０１０６】
本実施形態では、光学的クロストーク漏れ込み成分とＤＰＤＴＥ信号の特性を利用してトラッキング極性の判別を行う。すなわち、光ビームがトラックを横断するときのＦＥ信号における光学的クロストーク漏れ込み成分がＰＰＴＥ信号と同位相であることに着目して、実施形態１と同様にトラッキング極性判別を行う。
【０１０７】
つまり、図９（ｂ）および（ｃ）のように、光学的クロストーク漏れ込み成分とＤＰＤＴＥ信号が同位相関係であればグルーブトラック記録ディスクと判別する。また、図９（ｇ）および（ｈ）のように、光学的クロストーク漏れ込み成分とＤＰＤＴＥ信号が逆位相関係であればランドトラック記録ディスクと判別する。
【０１０８】
また、光学的クロストーク漏れ込み成分とＤＰＤＴＥ信号との位相関係は、実施形態１と同様に、両信号をゼロクロスで２値化した信号によって判別する。
【０１０９】
すなわち、図９（ｄ）および（ｅ）のように、光学的クロストーク漏れ込み成分を２値化した信号がＨｉｇｈの区間において、ＤＰＤＴＥ信号を２値化した信号がＨｉｇｈであれば、光学的クロストーク漏れ込み成分とＤＰＤＴＥ信号は同位相であると判別する。
【０１１０】
一方、図９（ｉ）および（ｊ）のように、光学的クロストーク漏れ込み成分を２値化した信号がＨｉｇｈの区間において、ＤＰＤＴＥ信号を２値化した信号がＬｏｗであれば、光学的クロストーク漏れ込み成分とＤＰＤＴＥ信号は逆位相であると判別する。
【０１１１】
以上のように、光ビームがトラックを横断するときのＦＥ信号における光学的クロストーク漏れ込み成分とＤＰＤＴＥ信号とを用いてトラッキング極性が判別できる。
【０１１２】
したがって、トラッキング引き込みを行わずにトラッキング極性の判別が可能となるため、判別時間の短縮が可能となり、その結果、起動時間の短縮も実現できる。
【０１１３】
なお、本実施形態においては、ＦＥ信号の光学的クロストーク漏れ込み成分とＤＰＤＴＥ信号の位相関係の判別方法として、各信号をゼロクロスで２値化した信号を用いるとしたが、そのような信号を用いた判別方法に限定されることはない。
【０１１４】
（実施形態３）
図１０は、実施形態３における光ディスク装置１０を示すブロック図である。なお、図１に示す光ディスク装置１０と同様の構成要素には同様の参照番号を付し、同じ説明は省略する。
【０１１５】
本実施形態において、マイコン１２３は、フォーカス制御部１１４の出力信号の振幅の大きさに基づいてトラッキング極性の判別を行うトラッキング極性判別部として機能する。なお、マイコン１２３とフォーカス制御部１１４とをまとめてトラッキング極性判別部と称することもできる。
【０１１６】
次に、本実施形態の光ディスク装置１０の動作を説明する。なお、実施形態１と同様の動作ついてはその説明を省略する。
【０１１７】
フォーカス制御部１１４から出力されたフォーカス駆動信号は、マイコン１２３に入力される。マイコン１２３は入力されたフォーカス駆動信号の振幅に基づいて、光ビームを照射している光ディスク１０６の情報層においてグルーブトラックあるいはランドトラックのいずれにデータが記録されているかを判別し、トラッキング制御を行うべきトラッキング極性を決定し、信号極性切替部１１８へ制御信号を出力する。
【０１１８】
ここで、本実施形態におけるトラッキング極性判別について説明する。
【０１１９】
光学的クロストークを含むＦＥ信号を用いてフォーカス制御を行うとき、フォーカス制御部１１４から出力されるフォーカス駆動信号には光学的クロストーク成分に応じた信号振幅が確認できる。上述したように、レーザ光波長と溝深さとの関係から、ランドトラックに記録を行うＬＴＨディスクは、ＨＴＬディスクに比べて溝変調度が高い。そのため、光ビームがトラックを横断するときのＦＥ信号にＰＰＴＥ信号が漏れ込んで生じる光学的クロストーク成分が、ＨＴＬディスクに比べて大きくなる。また、光学的クロストーク成分を含むＦＥ信号でフォーカス制御を行うと、フォーカス制御部１１４からの出力であるフォーカス駆動信号には光学的クロストーク成分に応じた信号振幅が確認できる。つまり、ＬＴＨディスクとＨＴＬディスクでは、フォーカス制御を行っている状態で光ビームがトラックを横断するときのフォーカス駆動信号において、異なった信号振幅が確認できる。ここで、フォーカス駆動信号の振幅は、フォーカス駆動信号の絶対値を決められた時間の間積分した値として検出できる。
【０１２０】
したがって、その積分した値が決められた閾値よりも大きい場合、溝変調度の高いＬＴＨディスクであると判別できる。
【０１２１】
上述したようにＬＴＨディスクはランドトラックにトラッキング制御を行うディスクであるため、フォーカス駆動信号振幅によってディスクの種類（トラッキング極性）の判別ができる。
【０１２２】
以上のように、光ビームがトラックを横断する際のフォーカス駆動信号振幅からトラッキング極性が判別できる。
【０１２３】
したがって、トラッキング引き込みを行わずにトラッキング極性の判別が可能となるため、判別時間の短縮が可能となり、その結果、起動時間の短縮も実現できる。
【０１２４】
なお、本実施形態においては、フォーカス制御部１１４が出力するフォーカス駆動信号をトラッキング極性判別に用いたが、フォーカスアクチュエータ１０９に流れる電流を測定することでも同様に判別を行うことができる。
【０１２５】
（実施形態４）
図１１は、実施形態４における光ディスク装置１０を示すブロック図である。なお、図１に示す光ディスク装置１０と同様の構成要素には同様の参照符号を付し、同じ説明は省略する。
【０１２６】
本実施形態の光ディスク装置１０は、ＡＳ信号生成部４００および除算器４０１を備える。ＡＳ信号生成部４００は、プリアンプ１１１の出力信号から、光ディスク１０６の情報層からの戻り光量を検出するための全加算信号（以降、ＡＳ信号と称す）を生成する電気回路である。
【０１２７】
図１２にＡＳ信号生成部４００の構成を示す。図１２に示すように、加算器４０２ａは、ディテクタ１０８の検出領域ＡおよびＢからの出力電流がプリアンプ１１１によって電圧に変換された２つの出力信号を加算して出力する電気回路である。加算器４０２ｂは、ディテクタ１０８の検出領域ＣおよびＤからの出力電流がプリアンプ１１１によって電圧に変換された２つの出力信号を加算して出力する電気回路である。加算器４０３は、加算器４０２ａおよび４０２ｂから出力される信号を加算して出力する電気回路である。
【０１２８】
除算器４０１は、ＰＰＴＥ信号生成部１１７から出力されるＰＰＴＥ信号を、ＡＳ信号生成部４００から出力されるＡＳ信号で除算して出力する電気回路である。
【０１２９】
本実施形態において、ＡＳ信号生成部４００は、光ビームの戻り光量を検出する反射光量検出部として機能する。なお、ＡＳ信号生成部４００とプリアンプ１１１とをまとめて反射光量検出部と称することもできる。
【０１３０】
また、除算器４０１は、ＰＰＴＥ信号をＡＳ信号で正規化するＴＥ信号正規化部として機能する。
【０１３１】
本実施形態では、マイコン１２３は、正規化されたＰＰＴＥ信号の振幅の大きさに基づいてトラッキング極性の判別を行うトラッキング極性判別部として機能する。なお、マイコン１２３、ＡＳ信号生成部４００、除算器４０１をまとめてトラッキング極性判別部と称することもできる。
【０１３２】
次に、本実施形態の光ディスク装置１０の動作を説明する。なお、実施形態１と同様の動作ついてはその説明を省略する。
【０１３３】
プリアンプ１１１の出力信号は、ＡＳ信号生成部４００でＡＳ信号に演算される。ＰＰＴＥ信号生成部１１７からのＰＰＴＥ信号と、ＡＳ信号生成部４００からのＡＳ信号は、除算器４０１に入力され、ＰＰＴＥ信号をＡＳ信号で除算した結果として正規化ＰＰＴＥ信号が出力される。除算器４０１からの正規化ＰＰＴＥ信号は、マイコン１２３に入力される。
【０１３４】
マイコン１２３は入力された正規化ＰＰＴＥ信号の振幅に基づいて、光ビームを照射している光ディスク１０６の情報層においてグルーブトラックあるいはランドトラックのいずれにデータが記録されているかを判別し、トラッキング制御を行うべきトラッキング極性を決定し、信号極性切替部１１８へ制御信号を出力する。
【０１３５】
ここで、本実施形態におけるトラッキング極性判別について説明する。
【０１３６】
上述したように、ランドトラックに記録を行うＬＴＨディスクは溝変調度が高い。溝変調度は光ビームがトラックを横断するときのＰＰＴＥ信号をＡＳ信号で除算して求めた信号の振幅として算出でき、これは本実施形態の正規化ＰＰＴＥ信号振幅である。ここで光ディスクの規格によれば、ＨＴＬディスクは溝変調度が０．２１〜０．４５であり、ＬＴＨディスクは溝変調度が０．２１〜０．６０である。
【０１３７】
上記規格値からすると、ＨＴＬディスクとＬＴＨディスクとで同一の溝変調度持つ場合が考えられるが、実際の製品としてのＬＴＨディスクは変調度が規格の上限値に近く、０．５以上の変調度を持つ。
【０１３８】
したがって、正規化ＰＰＴＥ信号振幅が閾値０．５よりも大きいかどうかによって、溝変調度の高いＬＴＨディスクであるかどうか判別できる。ここで上述したように、ＬＴＨディスクはランドトラックにトラッキング制御を行うディスクであるため、正規化ＰＰＴＥ信号振幅によってディスクの種類（トラッキング極性）の判別ができる。
【０１３９】
以上のように、光ビームがトラックを横断する際の正規化ＰＰＴＥ信号振幅からトラッキング極性が判別できる。
【０１４０】
したがって、トラッキング引き込みを行わずにトラッキング極性の判別が可能となるため、判別時間の短縮が可能となり、その結果起動時間の短縮も実現できる。
【０１４１】
なお、本実施形態においては、正規化ＰＰＴＥ信号振幅に着目した判別用の閾値を０．５としたが、この閾値は一例であり別の値であってもよい。
【０１４２】
（実施形態５）
図１３は、実施形態５における光ディスク装置１０の構成を示すブロック図である。なお、実施形態１および４の光ディスク装置１０と同様の構成要素には同様の参照番号を付し、同じ説明は省略する。
【０１４３】
本実施形態において、マイコン１２３は、ＡＳ信号のレベルに基づいてトラッキング極性の判別を行うトラッキング極性判別部として機能する。ＡＳ信号のレベルは、例えばＡＳ信号振幅である。なお、マイコン１２３とＡＳ信号生成部４００とをまとめてトラッキング極性判別部と称することもできる。
【０１４４】
次に、本実施形態の光ディスク装置１０の動作を説明する。なお、実施形態１および４と同様の動作ついてはその説明を省略する。
【０１４５】
ＡＳ信号生成部４００からのＡＳ信号は、マイコン１２３に入力される。マイコン１２３は入力されたＡＳ信号のレベルに基づいて、光ビームを照射している光ディスク１０６の情報層においてグルーブトラックあるいはランドトラックのいずれにデータが記録されているかを判別し、トラッキング制御を行うべきトラッキング極性を決定し、信号極性切替部１１８へ制御信号を出力する。
【０１４６】
ここで、本実施形態におけるトラッキング極性判別について説明する。
【０１４７】
上述したように、ランドトラックに記録を行うＬＴＨディスクは記録後に反射率が高くなる。ここでディスクの規格によれば、記録済みＨＴＬディスクの反射率は１１％〜２４％であり、記録済みＬＴＨディスクの反射率は１６％〜３５％である。
【０１４８】
上記規格値からすると、ＨＴＬディスクとＬＴＨディスクとで同一の反射率を持つ場合が考えられるが、実際の製品でのＬＴＨディスクは反射率が規格上限値に近く、３０％以上の反射率を持つ。
【０１４９】
したがって、ＡＳ信号レベルが反射率３０％相当の信号レベルよりも大きいかどうかによって、反射率の大きいＬＴＨディスクであるかどうか判別できる。ここで上述したように、ＬＴＨディスクはランドトラックにトラッキング制御を行うディスクであるため、ＡＳ信号レベルによってディスクの種類（トラッキング極性）の判別ができる。
【０１５０】
以上のように、ＡＳ信号レベルからトラッキング極性が判別できる。
【０１５１】
したがって、トラッキング引き込みを行わずにトラッキング極性の判別が可能となるため、判別時間の短縮が可能となり、その結果、起動時間の短縮も実現できる。
【０１５２】
なお、本実施形態においては、ＡＳ信号レベルに着目した判別用の閾値を反射率３０％相当の信号レベルとしたが、この閾値は一例であり別の値であってもよい。
【０１５３】
（実施形態６）
図１４は、実施形態６における光ディスク装置１０を示すブロック図である。なお、図１に示す光ディスク装置１０と同様の構成要素には同様の参照番号を付し、同じ説明は省略する。
【０１５４】
本実施形態の光ディスク装置１０は、光学的クロストーク補正部６００およびフォーカスゲイン設定部６０１を備える。光学的クロストーク補正部６００は、ＦＥ信号生成部１１２の出力信号とＰＰＴＥ信号生成部１１７の出力信号から補正ＦＥ信号を生成して出力する電気回路である。
【０１５５】
図１５に光学的クロストーク補正部６００の構成を示す。図１５に示すように、乗算器６０２は、ＰＰＴＥ信号生成部１１７から出力されるＰＰＴＥ信号にマイコン１２３からの設定信号に応じたゲインを乗算して出力する電気回路である。スイッチ６０３は、マイコン１２３からの指令信号によりオンとオフを切り替える電気回路である。減算器６０４は、ＦＥ信号生成部１１２から出力されるＦＥ信号とスイッチ６０３から出力される信号を減算して出力する電気回路である。
【０１５６】
フォーカスゲイン設定部６０１は、マイコン１２３からの設定信号に応じたゲインを設定する電気回路である。フォーカス駆動部１１６は、フォーカスゲイン設定部６０１から出力される信号に基づき、フォーカスアクチュエータ駆動信号を出力する。フォーカスアクチュエータ１０９は、対物レンズ１０５をフォーカス方向に移動させる。
【０１５７】
光学的クロストーク補正部６００は、ＦＥ信号に含まれる光学的クロストークを補正する。なお、光学的クロストーク補正部６００と、ＦＥ信号生成部１１２と、ＰＰＴＥ信号生成部１１７と、マイコン１２３とをまとめて、そのようなＦＥ信号に含まれる光学的クロストークを補正する補正部と称することもできる。
【０１５８】
フォーカスゲイン設定部６０１は、フォーカス制御のためのフォーカスループゲインを設定する。なお、フォーカスゲイン設定部６０１とマイコン１２３とをまとめて、そのようなフォーカス制御のためのフォーカスループゲインを設定する設定部と称することもできる。
【０１５９】
また、フォーカス制御部１１４とフォーカスゲイン設定部６０１とフォーカス駆動部１１６とをまとめて、フォーカス制御のための信号を出力するフォーカス制御部と称することもできる。
【０１６０】
次に、本実施形態の光ディスク装置１０の動作を説明する。なお、実施形態１と同様の動作についてはその説明を省略する。
【０１６１】
ＦＥ信号生成部１１２からのＦＥ信号は、クロストーク測定部（図示せず）に入力され、トラッキング制御オフ時における信号振幅とトラッキング制御オン時における信号振幅を比較し、振幅差をＦＥ信号に漏れ込む光学的クロストークの漏れ込みレベルとして出力される。なお、クロストーク測定部は、ＦＥ信号を入力できる任意の位置に配置されている。また、トラッキング制御オン時におけるＦＥ信号振幅の検出は、ディスクの種類の判別後に実行される。
【０１６２】
クロストーク測定部の出力である漏れ込みレベルは、マイコン１２３に入力される。マイコン１２３は、光学的クロストーク漏れ込みレベルに相当するゲイン設定信号を光学的クロストーク補正部６００に出力し、乗算器６０２のゲインを設定する。
【０１６３】
ＰＰＴＥ信号生成部１１７からのＰＰＴＥ信号は、光学的クロストーク補正部６００に入力され、乗算器６０２で設定されたゲインを乗じて出力される。乗算器６０２からの出力は、スイッチ６０３を経て減算器６０４に出力される。ＦＥ信号生成部１１２からのＦＥ信号とスイッチ６０３からの出力信号は、減算器６０４で減算され、ＦＥ信号に漏れ込む光学的クロストークの漏れ込み成分を補正した補正ＦＥ信号として出力され、フォーカス制御部１１４に入力される。
【０１６４】
フォーカス制御部１１４は補正ＦＥ信号からフォーカス駆動信号を生成し、フォーカスゲイン設定部６０１に入力される。フォーカスゲイン設定部６０１は、マイコン１２３から入力される設定信号に応じたゲインを乗算して出力する。フォーカスゲイン設定部６０１からの信号は、フォーカス駆動部１１６に入力、増幅されてフォーカスアクチュエータ１０９に出力される。
【０１６５】
以上の動作によって、補正ＦＥ信号を用いて、ＦＥ信号に漏れ込む光学的クロストークを補正しつつ、光ディスク１０６の情報層上における光ビームの収束状態を常に所定の収束状態になるように制御するフォーカス制御が実現される。
【０１６６】
ここで、本実施形態における光ディスク装置１０の起動手順における、トラッキング極性判別と光学的クロストーク補正の実行タイミングについて図１６を用いて説明する。
【０１６７】
図１６は、起動手順におけるトラッキング極性判別と光学的クロストーク補正の実行を示したフローチャートである。
【０１６８】
まず、装置起動において起動開始からフォーカス引き込みまでを実行する（Ｓ１１）。次にマイコン１２３は、入力されたＰＰＴＥ信号とＤＰＤＴＥ信号の位相関係に基づいて、実施形態１と同様のトラッキング極性判別を実行し、現在フォーカス制御オンされている情報層のトラッキング極性を判別する（Ｓ１２）。次にマイコン１２３は、判別結果に基づき、信号極性切替部１１８に極性を切り替えさせる（Ｓ１３）。
【０１６９】
ステップＳ１２のトラッキング極性判別結果より、情報層のトラッキング極性の判断を行う（Ｓ１４）。ステップＳ１４で、ランドトラックにトラッキング制御を行うと判断した場合、トラッキング制御オフ時におけるＦＥ信号振幅とトラッキング制御オン時におけるＦＥ信号振幅とを比較し、振幅差をＦＥ信号に漏れ込む光学的クロストークの漏れ込みレベルとして算出する（Ｓ１５）。
【０１７０】
次に、マイコン１２３は、光学的クロストークの漏れ込みレベルに応じて乗算器６０２のゲインを設定する（Ｓ１６）。次に、スイッチ６０３は、マイコン１２３からの指令信号によりオンとなり（Ｓ１７）、乗算器６０２のゲインを乗じたＰＰＴＥ信号を減算器６０４へ出力する。ＦＥ信号生成部１１２からのＦＥ信号とスイッチ６０３からの出力信号は、減算器６０４で減算され、ＦＥ信号に漏れ込む光学的クロストークの漏れ込み成分を補正した補正ＦＥ信号として出力され、補正ＦＥ信号はフォーカス制御に用いられる。その後、残りの起動手順を最後まで行い（Ｓ１８）、起動が完了する。
【０１７１】
また、ステップＳ１４で、グルーブトラックにトラッキング制御を行うと判断した場合、光学的クロストーク補正は行わず、ステップＳ１８を実行して起動が完了する。
【０１７２】
以上のように動作することで、光ディスク装置１０の起動時にフォーカス制御オンかつトラッキング制御オフ状態でディスクの種類を判別し、極性を適切に切り替えることができる。したがって、判別時間の短縮が可能となり、その結果、装置の起動時間を短縮することができる。
【０１７３】
また、トラッキング極性を判別した結果、トラッキング制御を行うべきトラックがランドトラックであれば、光学的クロストーク補正の実行を行うようにしたので、溝変調度が大きいＬＴＨディスクにおいて、光学的クロストーク成分によるフォーカス駆動電流の発生や、光学的クロストークによるフォーカス制御の振られを防ぐことができるため、消費電力の低減およびフォーカス制御の安定性向上が可能となり、光ディスク装置の記録再生性能を向上させることができる。
【０１７４】
また次に、本実施形態における光ディスク装置１０の起動手順における、トラッキング極性判別とフォーカスゲイン設定の実行タイミングについて図１７を用いて説明する。
【０１７５】
図１７は、起動手順におけるトラッキング極性判別とフォーカスゲイン設定の実行を示したフローチャートであり、図１６に示したステップと同様のステップには同じ参照番号を付し、同じ説明は省略する。
【０１７６】
まず、装置起動においてステップＳ１１〜Ｓ１４の動作を実行する。ステップＳ１４でランドトラックにトラッキング制御を行うと判断した場合、マイコン１２３はフォーカスゲイン設定部６０１に設定信号を出力し、フォーカスループゲインを下げる（Ｓ２１）。その後、ステップＳ１８を実行し、起動が完了する。
【０１７７】
また、ステップＳ１４でグルーブトラックにトラッキング制御を行うと判断した場合、フォーカスループゲインは下げず、ステップＳ１８を実行して起動が完了する。
【０１７８】
以上のように動作することで、光ディスク装置１０の起動時にフォーカス制御オンかつトラッキング制御オフ状態でディスクの種類を判別し、極性を適切に切り替えることができる。したがって、判別時間の短縮が可能となり、その結果、装置の起動時間短縮も実現できる。
【０１７９】
また、トラッキング極性を判別した結果、トラッキング制御を行うべきトラックがランドトラックであれば、フォーカスループゲインを下げるようにしたので、溝変調度が大きいＬＴＨディスクにおいて、光学的クロストーク成分によるフォーカス駆動電流の発生や、光学的クロストークによるフォーカス制御の振られを低下することができるため、消費電力の低減およびフォーカス制御の安定性向上が可能となり、光ディスク装置の記録再生性能を向上させることができる。
【０１８０】
なお、本実施形態においては、光学的クロストーク補正方法として、トラッキング制御オフ時におけるＦＥ信号振幅とトラッキング制御オン時におけるＦＥ信号振幅を比較してＦＥ信号に漏れ込む光学的クロストークの漏れ込みレベルを求め、レベルに応じたゲインを乗算器６０２に設定したが、光学的クロストーク補正方式はこのような方法に限定されない。
【０１８１】
なお、本実施形態においては、トラッキング極性判別を、実施形態１と同様に光ビームがトラックを横断するときのＰＰＴＥ信号とＤＰＤＴＥ信号の位相関係に基づいて行ったが、他の判別方法を用いてもよい。
【０１８２】
なお、本実施形態においては、ランドトラックにトラッキング制御を行うときはフォーカスループゲインを下げ、グルーブトラックにトラッキング制御を行うときはフォーカスループゲインを変えない構成としたが、以下の構成としてもよい。すなわち、光ディスク起動時にあらかじめフォーカスループゲインを下げておき、トラッキング制御を行うべきトラックがランドトラックであればフォーカスループゲインを変えず、グルーブトラックであればフォーカスループゲインを上げるようにしてもよい。
【０１８３】
このような構成にすることで、トラッキング極性を判別した結果、トラッキング制御を行うべきトラックがランドトラックであれば、フォーカスループゲインが低いまま装置の起動が継続されるため、溝変調度が大きいＬＴＨディスクにおいて、光学的クロストーク成分によるフォーカス駆動電流の発生や、光学的クロストークによるフォーカス制御の振られを低下することができるため、消費電力の低減およびフォーカス制御の安定性向上が可能となり、光ディスク装置の記録再生性能を向上させることができる。
【産業上の利用可能性】
【０１８４】
本発明の光ディスク装置は、フォーカス制御オンかつトラッキング制御オフ状態でトラッキング極性を判別するので、光ディスク装置の起動時間を短縮させる技術として有用である。
【０１８５】
さらに本発明の光ディスク装置は、装置起動時にフォーカスエラー信号にトラッキングエラー信号が漏れ込む光学的クロストークが大きいディスクに対して、該当ディスクであることを判別して光学的クロストークを適切に補正、または、フォーカスゲインを下げるので、装置の消費電力を低下させ、フォーカス制御の安定性を向上させる効果を有し、光ディスク装置の記録再生性能を向上させる技術として有用である。
【符号の説明】
【０１８６】
１００  光ヘッド
１０１  光源
１０２  コリメータレンズ
１０３  偏光ビームスプリッタ
１０４  １／４波長板
１０５  対物レンズ
１０６  光ディスク
１０７  集光レンズ
１０８  ディテクタ
１０９  フォーカスアクチュエータ
１１０  トラッキングアクチュエータ
１１１  プリアンプ
１１２  フォーカスエラー（ＦＥ）信号生成部
１１４  フォーカス制御部
１１６  フォーカス駆動部
１１７  プッシュプルトラッキングエラー（ＰＰＴＥ）信号生成部
１１８  信号極性切替部
１１９  トラッキング制御部
１２０  スイッチ
１２１  トラッキング駆動部
１２２  位相差トラッキングエラー（ＤＰＤＴＥ）信号生成部
１２３  マイクロコンピュータ（マイコン）
【手続補正２】
【補正対象書類名】特許請求の範囲
【補正対象項目名】全文
【補正方法】変更
【補正の内容】
【特許請求の範囲】
【請求項１】
グルーブトラックおよびランドトラックうちの一方にデータが記録される情報担体に対して、データの記録および再生の少なくとも一方を行う光ディスク装置であって、
前記情報担体からの反射光を受光する受光部と、
前記受光部の出力信号に基づき、前記情報担体上の光ビームの照射位置と前記トラックとの間の位置ずれを検出する検出部と、
前記情報担体の種類が、データの記録または再生をグルーブトラックに対して行う情報担体であるか、ランドトラックに対して行う情報担体であるかを判別する判別部と、
を備え、
前記判別部は、フォーカス制御を行い且つトラッキング制御を行わない状態で前記情報担体の種類の判別を行う、光ディスク装置。
【請求項２】
前記判別部は、前記トラッキング制御を行わない状態において前記光ビームが前記トラックを横切ることで発生する信号に基づいて前記情報担体の種類の判別を行う、請求項１に記載の光ディスク装置。
【請求項３】
前記受光部の出力信号に基づいて、前記光ビームの収束状態を示すフォーカスエラー信号を生成するフォーカスエラー信号生成部と、
前記フォーカスエラー信号に基づいて、フォーカス制御のための信号を出力するフォーカス制御部と、
をさらに備え、
前記判別部は、前記フォーカス制御部の出力信号の振幅の大きさに基づいて前記情報担体の種類の判別を行う、請求項２に記載の光ディスク装置。
【請求項４】
前記検出部は、プッシュプルトラッキングエラー信号および位相差トラッキングエラー信号を生成し、
前記判別部は、前記プッシュプルトラッキングエラー信号と前記位相差トラッキングエラー信号との位相関係に基づいて前記情報担体の種類の判別を行う、請求項２に記載の光ディスク装置。
【請求項５】
前記受光部の出力信号に基づいて、前記光ビームの収束状態を示すフォーカスエラー信号を生成するフォーカスエラー信号生成部をさらに備え、
前記検出部は位相差トラッキングエラー信号を生成し、
前記判別部は、前記フォーカスエラー信号の成分と前記位相差トラッキングエラー信号との位相関係に基づいて前記情報担体の種類の判別を行う、請求項２に記載の光ディスク装置。
【請求項６】
前記検出部は、トラッキングエラー信号を生成し、
前記光ディスク装置は、
前記受光部の出力信号に基づき、前記光ビームの戻り光量を検出する光量検出部と、
前記トラッキングエラー信号を前記光量検出部の出力信号で正規化する正規化部と、
をさらに備え、
前記判別部は、前記正規化されたトラッキングエラー信号の振幅の大きさに基づいて前記情報担体の種類の判別を行う、請求項２に記載の光ディスク装置。
【請求項７】
前記受光部の出力信号に基づき、前記光ビームの戻り光量を検出する光量検出部をさらに備え、
前記判別部は、前記光量検出部の出力信号のレベルに基づいて前記情報担体の種類の判別を行う、請求項１に記載の光ディスク装置。
【請求項８】
前記受光部の出力信号に基づいて、前記光ビームの収束状態を示すフォーカスエラー信号を生成するフォーカスエラー信号生成部と、
フォーカス制御のための信号を出力するフォーカス制御部と、
前記フォーカスエラー信号に含まれる光学的クロストークを補正する補正部と、
をさらに備え、
前記補正部は、前記判別部の判別結果に基づいて前記補正を行い、
前記フォーカス制御部は、前記補正されたフォーカスエラー信号に基づいて、前記フォーカス制御のための信号を出力する、請求項１に記載の光ディスク装置。
【請求項９】
フォーカス制御のためのフォーカスループゲインを設定する設定部をさらに備え、
前記情報担体の種類が、データの記録または再生をランドトラックに対して行う情報担体であると前記判別部が判別した場合、前記設定部は前記判別前よりも前記フォーカスループゲインを下げる、請求項１に記載の光ディスク装置。
【請求項１０】
フォーカス制御のためのフォーカスループゲインを設定する設定部をさらに備え、
前記情報担体の種類が、データの記録または再生をグルーブトラックに対して行う情報担体であると前記判別部が判別した場合、前記設定部は前記判別前よりも前記フォーカスループゲインを上げる、請求項１に記載の光ディスク装置。
【請求項１１】
グルーブトラックおよびランドトラックうちの一方にデータが記録される情報担体に対して、データの記録および再生の少なくとも一方を行う光ディスク装置の駆動方法であって、
前記情報担体からの反射光を受光するステップと、
前記受光により得られた信号に基づき、前記情報担体上の光ビームの照射位置と前記トラックとの間の位置ずれを検出するステップと、
前記情報担体の種類が、データの記録または再生をグルーブトラックに対して行う情報担体であるか、ランドトラックに対して行う情報担体であるかを判別するステップと、
を包含し、
前記情報担体の種類の判別は、フォーカス制御を行い且つトラッキング制御を行わない状態で行う、方法。
【請求項１２】
情報担体に対してデータの記録および再生の少なくとも一方を行う光ディスク装置に搭載されたときに、前記情報担体の種類を判別する集積回路であって、
前記情報担体上の光ビームの照射位置とトラックとの間の位置ずれを検出する検出部と、
前記情報担体の種類が、データの記録または再生をグルーブトラックに対して行う情報担体であるか、ランドトラックに対して行う情報担体であるかを判別する判別部と、
を備え、
前記判別部は、フォーカス制御を行い且つトラッキング制御を行わない状態で前記情報担体の種類の判別を行う、集積回路。
【手続補正３】
【補正対象書類名】図面
【補正対象項目名】全図
【補正方法】変更
【補正の内容】
【図１】
2009154000.tif 000020
【図２】
2009154000.tif 000021
【図３】
2009154000.tif 000022
【図４】
2009154000.tif 000023
【図５】
2009154000.tif 000024
【図６】
2009154000.tif 000025
【図７】
2009154000.tif 000026
【図８】
2009154000.tif 000027
【図９】
2009154000.tif 000028
【図１０】
2009154000.tif 000029
【図１１】
2009154000.tif 000030
【図１２】
2009154000.tif 000031
【図１３】
2009154000.tif 000032
【図１４】
2009154000.tif 000033
【図１５】
2009154000.tif 000034
【図１６】
2009154000.tif 000035
【図１７】
2009154000.tif 000036
【国際調査報告】
2009154000.tif 000037
2009154000.tif 000038
2009154000.tif 000039
2009154000.tif 000040